(57)【要約】【課題】  本発明の課題は、デフロスト運転時においても空調室内を暖房することができる空気調和装置を提供することにある。【解決手段】  空気調和装置１は、冷媒回路１０を備える。冷媒回路１０は、圧縮機１１１、熱源側熱交換器１１２、利用側熱交換器１７１、蓄熱用熱交換器１４１、切換機構、第１分岐配管１ｂ、および冷媒貯留器１１４を有する。蓄熱用熱交換器１４１は、蓄熱材と熱交換を行う。切換機構は、暖房兼蓄熱状態と蓄熱利用デフロスト状態とを切換可能である。第１分岐配管１ｂは、圧縮機１１１と熱源側熱交換器１１２とを配管接続するための冷媒配管から分岐し、蓄熱利用デフロスト状態において、圧縮機１１１から吐出される冷媒の一部を利用側熱交換器１７１に導くための配管である。【選択図】      図１
2005337661.tif 000002
【特許請求の範囲】
【請求項１】
圧縮機（１１１，２１１，３１１，４１１）と、
熱源側熱交換器（１１２，２１２，３１２，４１２）と、
利用側熱交換器（１７１，２７１，３７１，４７１）と、
蓄熱材と熱交換を行う蓄熱用熱交換器（１４１，２４１，３４１，４４１）と、
前記利用側熱交換器および前記蓄熱用熱交換器を凝縮器として機能させ前記熱源側熱交換器を蒸発器として機能させる暖房兼蓄熱状態と、前記熱源側熱交換器を凝縮器として機能させ前記蓄熱用熱交換器を蒸発器として機能させる蓄熱利用デフロスト状態とを切換可能である切換機構と、
前記圧縮機と前記熱源側熱交換器とを配管接続するための冷媒配管から分岐し、前記蓄熱利用デフロスト状態において、前記圧縮機から吐出される冷媒の一部を前記利用側熱交換器に導くための第１分岐配管（１ｂ，１Ｂｂ，２ｂ，３ｂ，３０ｂ，４ｂ）と、
冷媒貯留器（１１４，２１４，３４３，４４３）と、
を有する冷媒回路（１０，１０Ａ，１０Ｂ，２０，２０Ａ，３０Ａ，４０，４０Ａ）を備える、空気調和装置（１，１Ａ，１Ｂ，２，２Ａ，３Ａ，４，４Ａ）。
【請求項２】
前記冷媒貯留器は、前記蓄熱利用デフロスト状態において必要となる冷媒量と前記暖房兼蓄熱状態において必要となる冷媒量との差の冷媒量を貯留可能である、
請求項１に記載の空気調和装置。
【請求項３】
前記蓄熱利用デフロスト状態では、前記利用側熱交換器から流出した冷媒と前記熱源側熱交換器から流出した冷媒とが合流して前記蓄熱用熱交換器を通って前記圧縮機に吸入される、
請求項１または２に記載の空気調和装置。
【請求項４】
前記暖房兼蓄熱状態では、前記圧縮機から吐出された冷媒である吐出冷媒が前記利用側熱交換器と前記蓄熱用熱交換器とに分配される、
請求項１から３のいずれかに記載の空気調和装置。
【請求項５】
前記暖房兼蓄熱状態では、前記利用側熱交換器から流出した冷媒と前記蓄熱用熱交換器から流出した冷媒とが合流して前記熱源側熱交換器を通って前記圧縮機に吸入される、
請求項４に記載の空気調和装置。
【請求項６】
前記切換機構は、前記暖房兼蓄熱状態において前記吐出冷媒が前記熱源側熱交換器に直接流入しないようにするための第１制御弁（１１３，２１３，３１３，４１３）と、前記蓄熱利用デフロスト状態において前記吐出冷媒が前記蓄熱用熱交換器に直接流入しないようにするための第２制御弁（１４３，ＳＶ１，ＳＶ１Ａ）とを有する、
請求項１から５のいずれかに記載の空気調和装置。
【請求項７】
前記切換機構は、前記熱源側熱交換器を凝縮器として機能させ前記利用側熱交換器を蒸発器として機能させる冷房状態にも切換可能であり、前記冷房状態において前記吐出冷媒が前記第１分岐配管を通って前記利用側熱交換器に流入しないようにし且つ前記蓄熱利用デフロスト状態において前記吐出冷媒が前記第１分岐配管を通って前記利用側熱交換器に流入するようにするための第３制御弁（１４３，ＳＶ２）をさらに有する、
請求項１から６のいずれかに記載の空気調和装置。
【請求項８】
前記切換機構は、前記熱源側熱交換器を凝縮器として機能させ前記利用側熱交換器を蒸発器として機能させる冷房状態にも切換可能であり、
前記冷媒貯留器は、前記蓄熱利用デフロスト状態において必要となる冷媒量と前記冷房状態において必要となる冷媒量との差の冷媒量を貯留可能である、
請求項１から７のいずれかに記載の空気調和装置。
【請求項９】
前記冷媒貯留器（１１４，２１４）は、前記圧縮機の吸入側に設けられる気液分離器である、
請求項１から８のいずれかに記載の空気調和装置。
【請求項１０】
前記冷媒回路は、前記熱源側熱交換器と前記利用側熱交換器とを接続する液配管から分岐する第２分岐配管と、前記第２分岐配管に設けられ前記蓄熱利用デフロスト状態において前記第２分岐配管を流れる前記冷媒を減圧可能である減圧機構（ＥＶ２）とをさらに有し、
前記冷媒貯留器（３４３，４４３）は、前記減圧機構と前記蓄熱用熱交換器との間に配置され、前記減圧機構と前記蓄熱用熱交換器とに配管接続される、
請求項８に記載の空気調和装置。
【発明の詳細な説明】
【技術分野】
【０００１】
本発明は、冬季などにおいて気温が氷点下となるような寒冷地向けの空気調和装置に関する。
【背景技術】
【０００２】
冬季などにおいて気温が氷点下となるような寒冷地において、空気調和装置を暖房運転させると、室外熱交換器に霜が堆積し、室外熱交換器の熱交換率が悪化する現象が知られている。このため、寒冷地に設置される空気調和装置には、通常、室外熱交換器に堆積した霜を除去するためのデフロスト運転モードが用意されている。
このような空気調和機においてデフロスト運転が行われると、圧縮機から吐出される高温の冷媒が、室外熱交換器へと直接導かれることにより、室外熱交換器の外表面に付着した霜を融解することができる（例えば、特許文献１参照）。
【特許文献１】特開２０００−２９１９８５号公報
【発明の開示】
【発明が解決しようとする課題】
【０００３】
ところが、この空気調和装置をデフロスト運転させている間は、室内を暖房することができないため、デフロスト運転期間中に空調室内の温度が低下し空調室内を不快にするおそれが生じる。
本発明の課題は、デフロスト運転時においても空調室内を暖房することができる空気調和装置を提供することにある。
【課題を解決するための手段】
【０００４】
第１発明に係る空気調和装置は、冷媒回路を備える。冷媒回路は、圧縮機、熱源側熱交換器、利用側熱交換器、蓄熱用熱交換器、切換機構、第１分岐配管、および冷媒貯留器を有する。蓄熱用熱交換器は、蓄熱材と熱交換を行う。切換機構は、暖房兼蓄熱状態と蓄熱利用デフロスト状態とを切換可能である。なお、暖房兼蓄熱状態では、利用側熱交換器および蓄熱用熱交換器が凝縮器として機能し、熱源側熱交換器が蒸発器として機能する。また、蓄熱利用デフロスト状態では、熱源側熱交換器が凝縮器として機能し、蓄熱用熱交換器が蒸発器として機能する。第１分岐配管は、圧縮機と熱源側熱交換器とを配管接続するための冷媒配管から分岐し、蓄熱利用デフロスト状態において、圧縮機から吐出される冷媒の一部を利用側熱交換器に導くための配管である。
【０００５】
この空気調和装置では、冷媒回路に第１分岐配管が設けられており、蓄熱利用デフロスト状態において、圧縮機から吐出された高温の冷媒が、熱源側熱交換器と利用側熱交換器との両方に供給され、熱源側熱交換器と利用側熱交換器との両方が凝縮器として機能することとなる。このため、この空気調和装置では、蓄熱利用デフロスト状態において、熱源側熱交換器の外表面に付着している霜を除去すると同時に暖房運転を行うことも可能となる。
【０００６】
ところで、この空気調和装置では、蓄熱利用デフロスト状態において圧縮機から吐出される冷媒が利用側熱交換器と熱源側熱交換器とに分配されるが、蓄熱利用デフロスト運転開始直後には利用側熱交換器よりも熱源側熱交換器の方が低温であるため、吐出冷媒は、利用側熱交換器よりも熱源側熱交換器の方に多く流れ易くなる。このため、この空気調和装置では、利用側熱交換器における凝縮温度および凝縮圧力が低下し、利用側熱交換器における暖房能力が低下するおそれがある。このおそれを回避するための一つの手法としては、この空気調和装置の冷媒回路に、蓄熱利用デフロスト状態において熱源側熱交換器に液状冷媒が溜まるように、冷媒を充填することが考えられる。このようにすれば、蓄熱利用デフロスト状態において、利用側熱交換器へ流れる吐出冷媒の凝縮温度および凝縮圧力の低下を抑えることができ、蓄熱利用デフロスト状態における利用側熱交換器の暖房能力の低下を抑えることができる。ところが、これだけ量の冷媒をこの空気調和装置の冷媒回路に充填しておくと、冷媒回路が暖房兼蓄熱状態に切り換わった場合に、余剰冷媒が発生し空気調和装置が正常に稼働しなくおそれがある。しかし、この空気調和装置には、その余剰冷媒を貯留することができる冷媒貯留器を有している。このため、この空気調和装置では、蓄熱利用デフロスト状態において十分な暖房能力を確保するとともに暖房兼蓄熱状態において正常な稼働を保証することができる。
【０００７】
第２発明に係る空気調和装置は、第１発明に係る空気調和装置であって、冷媒貯留器は、蓄熱利用デフロスト状態において必要となる冷媒量と暖房兼蓄熱状態において必要となる冷媒量との差の冷媒量を貯留可能である。
この空気調和装置では、冷媒貯留器が、蓄熱利用デフロスト状態において必要となる冷媒量と暖房兼蓄熱状態において必要となる冷媒量との差の冷媒量を貯留可能である。このため、この空気調和装置では、蓄熱利用デフロスト状態において十分な暖房能力を確保するとともに暖房兼蓄熱状態において正常な稼働を保証することができる。
【０００８】
第３発明に係る空気調和装置は、第１発明または第２発明に係る空気調和装置であって、蓄熱利用デフロスト状態では、利用側熱交換器から流出した冷媒と熱源側熱交換器から流出した冷媒とが合流して蓄熱用熱交換器を通って圧縮機に吸入される。
この空気調和装置では、蓄熱利用デフロスト状態において、利用側熱交換器から流出した冷媒と熱源側熱交換器から流出した冷媒とが合流して蓄熱用熱交換器を通って圧縮機に吸入される。このため、この空気調和装置では、蓄熱利用デフロスト状態において、利用側熱交換器から流出した冷媒と熱源側熱交換器から流出した冷媒とを蓄熱用熱交換器で一括して蒸発させることができる。したがって、この空気調和装置では、冷媒回路の構成をシンプルにすることができる。
【０００９】
第４発明に係る空気調和装置は、第１発明から第３発明のいずれかに係る空気調和装置であって、暖房兼蓄熱状態では、吐出冷媒が利用側熱交換器と蓄熱用熱交換器とに分配される。なお、ここにいう「吐出冷媒」とは、圧縮機から吐出された冷媒である。
この空気調和装置では、暖房兼蓄熱状態において、吐出冷媒が利用側熱交換器と蓄熱用熱交換器とに分配される。このため、この空気調和装置では、暖房運転を行うと同時に蓄熱材に温熱を蓄積させることができる。したがって、この空気調和装置では、暖房運転を継続的に行うことができる。
【００１０】
第５発明に係る空気調和装置は、第４発明に係る空気調和装置であって、暖房兼蓄熱状態では、利用側熱交換器から流出した冷媒と蓄熱用熱交換器から流出した冷媒とが合流して熱源側熱交換器を通って圧縮機に吸入される。
この空気調和装置では、暖房兼蓄熱状態において、利用側熱交換器から流出した冷媒と蓄熱用熱交換器から流出した冷媒とが合流して熱源側熱交換器を通って圧縮機に吸入される。このため、この空気調和装置では、暖房兼蓄熱状態において、利用側熱交換器から流出した冷媒と蓄熱用熱交換器から流出した冷媒とを熱源側熱交換器で一括して蒸発させることができる。したがって、この空気調和装置では、冷媒回路の構成をシンプルにすることができる。
【００１１】
第６発明に係る空気調和装置は、第１発明から第５発明のいずれかに係る空気調和装置であって、切換機構は、第１制御弁および第２制御弁を有する。第１制御弁は、暖房兼蓄熱状態において吐出冷媒が熱源側熱交換器に直接流入しないようにするための制御弁である。第２制御弁は、蓄熱利用デフロスト状態において吐出冷媒が蓄熱用熱交換器に直接流入しないようにするための制御弁である。
【００１２】
この空気調和装置では、切換機構が、第１制御弁および第２制御弁を有する。このため、この空気調和装置では、暖房兼蓄熱状態と蓄熱利用デフロスト状態との間で冷媒の流れを適切に制御することができる。
第７発明に係る空気調和装置は、第１発明から第６発明のいずれかに係る空気調和装置であって、切換機構は、冷房状態にも切換可能である。なお、ここにいう「冷房状態」とは、熱源側熱交換器が凝縮器として機能し、利用側熱交換器が蒸発器として機能する状態をいう。そして、この切換機構は、第３制御弁をさらに有する。第３制御弁は、冷房状態において吐出冷媒が第１分岐配管を通って利用側熱交換器に流入しないようにし、かつ、蓄熱利用デフロスト状態において吐出冷媒が第１分岐配管を通って利用側熱交換器に流入するようにするための制御弁である。
【００１３】
この空気調和装置では、切換機構が、冷房状態にも切換可能であり、第３制御弁をさらに有する。このため、この空気調和装置では、蓄熱利用デフロスト状態と冷房状態との間で冷媒の流れを適切に制御することができる。
第８発明に係る空気調和装置は、第１発明から第７発明のいずれかに係る空気調和装置であって、切換機構は、冷房状態にも切換可能である。なお、ここにいう「冷房状態」とは、熱源側熱交換器が凝縮器として機能し、利用側熱交換器が蒸発器として機能する状態をいう。そして、冷媒貯留器は、蓄熱利用デフロスト状態において必要となる冷媒量から冷房状態において必要となる冷媒量を引いた量の冷媒を冷房状態において貯留可能である。
【００１４】
この空気調和装置では、蓄熱利用デフロスト状態において圧縮機から吐出される冷媒が利用側熱交換器と熱源側熱交換器とに分配されるが、蓄熱利用デフロスト運転開始直後には利用側熱交換器よりも熱源側熱交換器の方が低温であるため、吐出冷媒は、利用側熱交換器よりも熱源側熱交換器の方に多く流れ易くなる。このため、この空気調和装置では、利用側熱交換器における凝縮温度および凝縮圧力が低下し、利用側熱交換器における暖房能力が低下するおそれがある。このおそれを回避するための一つの手法としては、この空気調和装置の冷媒回路に、蓄熱利用デフロスト状態において熱源側熱交換器に液状冷媒が溜まるように、冷媒を充填することが考えられる。このようにすれば、蓄熱利用デフロスト状態において、利用側熱交換器へ流れる吐出冷媒の凝縮温度および凝縮圧力の低下を抑えることができ、蓄熱利用デフロスト状態における利用側熱交換器の暖房能力の低下を抑えることができる。ところが、これだけ量の冷媒をこの空気調和装置の冷媒回路に充填しておくと、冷媒回路が冷房状態に切り換わった場合に、余剰冷媒が発生し空気調和装置が正常に稼働しなくおそれがある。しかし、この空気調和装置には、その余剰冷媒を貯留することができる冷媒貯留器を有している。このため、この空気調和装置では、蓄熱利用デフロスト状態において十分な暖房能力を確保するとともに冷房状態において正常な稼働を保証することができる。
【００１５】
第９発明に係る空気調和装置は、第１発明から第８発明のいずれかに係る空気調和装置であって、冷媒貯留器は、圧縮機の吸入側に設けられる気液分離器である。
この空気調和装置では、冷媒貯留器が、圧縮機の吸入側に設けられる気液分離器である。このため、空気調和装置では、容易に冷媒貯留器を設けることができる。
第１０発明に係る空気調和装置は、第８発明に係る空気調和装置であって、冷媒回路は、第２分岐配管および減圧機構をさらに有する。第２分岐配管は、熱源側熱交換器と利用側熱交換器とを接続する液配管から分岐する。減圧機構は、第２分岐配管に設けられ蓄熱利用デフロスト状態において第２分岐配管を流れる冷媒を減圧可能である。そして、冷媒貯留器は、減圧機構と蓄熱用熱交換器との間に配置され、減圧機構と蓄熱用熱交換器とに配管接続される。
【００１６】
この空気調和装置では、冷媒貯留器が、減圧機構と蓄熱用熱交換器との間に配置され、減圧機構と蓄熱用熱交換器とに配管接続される。このため、この空気調和装置では、余剰冷媒を主要な冷媒回路から完全に排除することができる。したがって、この空気調和装置は、主要な冷媒回路に冷媒が主に流れる冷房状態において適切な稼働を行うことができる。
【発明の効果】
【００１７】
第１発明に係る空気調和装置では、蓄熱利用デフロスト状態において、熱源側熱交換器の外表面に付着している霜を除去すると同時に暖房運転を行うことも可能となる。また、この空気調和装置では、蓄熱利用デフロスト状態において十分な暖房能力を確保するとともに暖房兼蓄熱状態において正常な稼働を保証することができる。
第２発明に係る空気調和装置では、蓄熱利用デフロスト状態において十分な暖房能力を確保するとともに暖房兼蓄熱状態において正常な稼働を保証することができる。
【００１８】
第３発明に係る空気調和装置では、蓄熱利用デフロスト状態において、利用側熱交換器から流出した冷媒と熱源側熱交換器から流出した冷媒とを蓄熱用熱交換器で一括して蒸発させることができる。したがって、この空気調和装置では、冷媒回路の構成をシンプルにすることができる。
第４発明に係る空気調和装置では、暖房運転を行うと同時に蓄熱材に温熱を蓄積させることができる。したがって、この空気調和装置では、暖房運転を継続的に行うことができる。
【００１９】
第５発明に係る空気調和装置では、暖房兼蓄熱状態において、利用側熱交換器から流出した冷媒と蓄熱用熱交換器から流出した冷媒とを熱源側熱交換器で一括して蒸発させることができる。したがって、この空気調和装置では、冷媒回路の構成をシンプルにすることができる。
第６発明に係る空気調和装置では、暖房兼蓄熱状態と蓄熱利用デフロスト状態との間で冷媒の流れを適切に制御することができる。
【００２０】
第７発明に係る空気調和装置では、蓄熱利用デフロスト状態と冷房状態との間で冷媒の流れを適切に制御することができる。
第８発明に係る空気調和装置では、蓄熱利用デフロスト状態において十分な暖房能力を確保するとともに冷房状態において正常な稼働を保証することができる。
第９発明に係る空気調和装置では、容易に冷媒貯留器を設けることができる。
【００２１】
第１０発明に係る空気調和装置では、冷房状態において余剰冷媒を主要な冷媒回路から完全に排除することができる。したがって、この空気調和装置は、主要な冷媒回路に冷媒が主に流れる冷房状態において適切な稼働を行うことができる。
【発明を実施するための最良の形態】
【００２２】
＜第１実施形態＞
［空気調和装置の構成］
本発明の一実施形態にかかる空気調和装置１の概略冷媒回路１０を図１に示す。
この空気調和装置１は、冷房運転および暖房運転のみならずデフロスト運転、暖房兼温蓄熱運転、および暖房兼デフロスト運転も可能な空気調和装置（冬季などにおいて気温が氷点下となるような寒冷地向けの空気調和装置）であって、主冷媒回路１ａ、バイパスライン１ｂ、および蓄熱ライン１ｃから構成される冷媒回路１０を備えている。
【００２３】
主冷媒回路１ａには主に、圧縮機１１１、四路切換弁１１３、室外熱交換器１１２、第１電動膨張弁ＥＶ１、室内熱交換器１７１、第１開閉機構ＯＣ１、および気液分離器１１４が配備されており、各機器は、図１に示されるように、冷媒配管を介して接続されている。
バイパスライン１ｂは、一端が四路切換弁１１３と室外熱交換器１１２のガス側とを接続する冷媒配管（以下、第１室外側冷媒ガス配管という）に、他端が第１開閉機構ＯＣ１と室内熱交換器１７１のガス側とを接続する冷媒配管（以下、室内側冷媒ガス配管という）に配管接続されることによって主冷媒回路１ａと接続されている。なお、以下、バイパスライン１ｂと第１室外側冷媒ガス配管との接続点を第１ＢＬ接続点ＢＣ１といい、バイパスライン１ｂと室内側冷媒ガス配管との接続点を第２ＢＬ接続点ＢＣ２という。そして、このバイパスライン１ｂには、第２開閉機構ＯＣ２が配備されている。
【００２４】
蓄熱ライン１ｃは、一端が室外熱交換器１１２の液側と第１電動膨張弁ＥＶ１とを接続する冷媒配管（以下、室外側冷媒液配管という）に、他端が第１開閉機構ＯＣ１と四路切換弁１１３とを接続する冷媒配管（以下、第２室外側冷媒ガス配管という）に配管接続されることによって主冷媒回路１ａと接続されている。なお、以下、蓄熱ライン１ｃと室外側冷媒液配管との接続点を第１ＨＬ接続点ＨＣ１といい、蓄熱ライン１ｃと第２室外側冷媒ガス配管との接続点を第２ＨＬ接続点ＨＣ２という。そして、この蓄熱ライン１ｃには蓄熱用熱交換器１４１および第２電動膨張弁ＥＶ２が配備されており、各機器が第２ＨＬ接続点ＨＣ２から第１ＨＬ接続点ＨＣ１に向かって上記の順に冷媒配管を介して接続されている。
【００２５】
また、本実施形態では、空気調和装置１は、分離型の空気調和装置であって、室内熱交換器１７１、第１電動膨張弁ＥＶ１、冷媒ガス配管１８１、および冷媒液配管１８２を主に有する室内ユニット１７と、蓄熱用熱交換器１４１、蓄熱槽１４２、第２電動膨張弁ＥＶ２、第１開閉機構ＯＣ１、第２開閉機構ＯＣ２、第１冷媒ガス配管１５１、第２冷媒ガス配管１５３、および冷媒液配管１５２を主に有する蓄熱ユニット１４と、圧縮機１１１、四路切換弁１１３、室外熱交換器１１２、気液分離器１１４、第１冷媒ガス配管１２１、第２冷媒ガス配管１２３、および冷媒液配管１２２を主に有する室外ユニット１１と、室内ユニット１７の冷媒液配管１８２と蓄熱ユニット１４の冷媒液配管１５２とを接続する第１冷媒連絡配管１８７と、室内ユニット１７の冷媒ガス配管１８１と蓄熱ユニット１４の冷媒ガス配管１５１とを接続する第２冷媒連絡配管１８６と、蓄熱ユニット１４の冷媒液配管１５２と室外ユニット１１の冷媒液配管１２２とを接続する第３冷媒連絡配管１３７と、蓄熱ユニット１４の第１冷媒ガス配管１５１と室外ユニット１１の第１冷媒ガス配管１２１とを接続する第４冷媒連絡配管１３６と、蓄熱ユニット１４の第２冷媒ガス配管１５３と室外ユニット１１の第２冷媒ガス配管１２３とを接続する第５冷媒連絡配管１３５とから構成されているともいえる。なお、室外ユニット１１の冷媒液配管１２２と第３冷媒連絡配管１３７とは室外ユニット１１の液側閉鎖弁１３３を介して、室外ユニット１１の第１冷媒ガス配管１２１と第４冷媒連絡配管１３６とは室外ユニット１１の第２ガス側閉鎖弁１３２を介して、室外ユニット１１の第２冷媒ガス配管１２３と第５冷媒連絡配管１３５とは室外ユニット１１の第１ガス側閉鎖弁１３１を介してそれぞれ接続されている。
【００２６】
なお、このように本実施形態にかかる空気調和装置１をユニット単位で見た場合、第１ＢＬ接続点ＢＣ１は室外ユニット１１に属し、第２ＢＬ接続点ＢＣ２、第１ＨＬ接続点ＨＣ１、および第２ＨＬ接続点ＨＣ２は蓄熱ユニット１４に属する。
（１）室内ユニット
室内ユニット１７は、主に、室内熱交換器１７１、第１電動膨張弁ＥＶ１、室内ファン（図示せず）、冷媒ガス配管１８１、および冷媒液配管１８２を有している。
【００２７】
室内熱交換器１７１は、空調室内の空気である室内空気と冷媒との間で熱交換をさせるための熱交換器である。
室内ファンは、ユニット１７内に空調室内の空気を取り込み、室内熱交換器１７１を介して冷媒と熱交換した後の空気である調和空気を再び空調室内への送り出すためファンである。
【００２８】
そして、この室内ユニット１７は、このような構成を採用することによって、冷房運転時には室内ファンにより内部に取り込んだ室内空気と室内熱交換器１７１を流れる液冷媒とを熱交換させて調和空気（冷気）を生成し、暖房運転時、暖房兼温蓄熱運転時、および暖房兼デフロスト運転時には室内ファンにより内部に取り込んだ室内空気と室内熱交換器１７１を流れるガス冷媒とを熱交換させて調和空気（暖気）を生成することが可能となっている。
【００２９】
（２）蓄熱ユニット
蓄熱ユニット１４は、主に、蓄熱用熱交換器１４１、蓄熱槽１４２、第２電動膨張弁ＥＶ２、第１開閉機構ＯＣ１、第２開閉機構ＯＣ２、第１冷媒ガス配管１５１、第２冷媒ガス配管１５３、および冷媒液配管１５２を有している。
蓄熱用熱交換器１４１は、蓄熱槽１４２に蓄えられている蓄熱材（例えば、ポリエチレングリコール、トレイトール、パラフィン、酢酸ナトリウム３水和物、硫酸ナトリウム１０水和物など）と冷媒との間で熱交換をさせるための熱交換器である。
【００３０】
第１開閉機構ＯＣ１は、開閉可能な第１電磁弁ＳＶ１および第１逆止弁１６１を有している。この第１開閉機構ＯＣ１では、第１電磁弁ＳＶ１と第１逆止弁１６１とが冷媒流れに対して並列に配置される。また、この第１逆止弁１６１は、各ユニット１１，１４，１７が接続された状態において第２ガス側閉鎖弁１３２から第２ＢＬ接続点ＢＣ２に向かう冷媒の流れのみを許容するように取り付けられている。
【００３１】
第２開閉機構ＯＣ２は、開閉可能な第２電磁弁ＳＶ２および第２逆止弁１６２を有している。この第２開閉機構ＯＣ２では、第２電磁弁ＳＶ２と第２逆止弁１６２とが冷媒流れに対して直列に配置される。なお、この際、第２電磁弁ＳＶ２は第１ＢＬ接続点ＢＣ１側に、第２逆止弁１６２は第２ＢＬ接続点ＢＣ２側に配置される。また、この第２逆止弁１６２は、各ユニット１１，１４，１７が接続された状態において第１ガス側閉鎖弁１３１から第２ＢＬ接続点ＢＣ２に向かう冷媒の流れのみを許容するように取り付けられている。
【００３２】
そして、この蓄熱ユニット１４は、このような構成を採用することによって、暖房兼温蓄熱運転時には蓄熱用熱交換器１４１を流れるガス冷媒の温熱を蓄熱材に蓄積させ、暖房兼デフロスト運転時には蓄熱用熱交換器１４１を流れる液冷媒に蓄熱材に蓄積される温熱を供給することによってその液冷媒を蒸発させることが可能となっている。なお、この蓄熱材は、融点がおよそ３０℃から４０℃であり、潜熱として温熱を蓄積することが可能となっている。
【００３３】
（３）室外ユニット
室外ユニット１１は、主に、四路切換弁１１３、気液分離器１１４、圧縮機１１１、室外熱交換器１１２、第１冷媒ガス配管１２１、第２冷媒ガス配管１２３、および冷媒液配管１２２を有している。
圧縮機１１１は、吸入管１２５を流れる低圧のガス冷媒を吸入して圧縮した後、吐出管１２６に吐出するための機器である。本実施形態において、圧縮機１１１は、スクロール式やロータリ式等の容積式の圧縮機である。
【００３４】
四路切換弁１１３は、各運転に対応して、冷媒の流れ方向を切り換えるための弁であり、冷房運転時、デフロスト運転時、および暖房兼デフロスト運転時には圧縮機１１１の吐出管１２６と室外熱交換器１１２のガス側とを接続するとともに圧縮機１１１の吸入管１２５と第２ガス側閉鎖弁１３２とを気液分離器１１４を介して接続し、暖房運転時および暖房兼温蓄熱運転時には圧縮機１１１の吐出管１２６と第２ガス側閉鎖弁１３２とを接続するとともに圧縮機１１１の吸入管１２５と室外熱交換器１１２のガス側とを気液分離器１１４を介して接続することが可能である。
【００３５】
室外熱交換器１１２は、冷房運転時において、圧縮機１１１から吐出された高圧のガス冷媒を空調室外の空気を熱源として凝縮させることが可能であり、暖房運転時には室内熱交換器１７１から戻る液冷媒を、暖房兼温蓄熱運転時には室内熱交換器１７１および蓄熱用熱交換器１４１から戻る液冷媒を蒸発させることが可能である。
［空気調和装置の動作］
空気調和装置１の運転動作について、図１および図２を用いて説明する。この空気調和装置１は、上述したように冷房運転、暖房運転、暖房兼温蓄熱運転、デフロスト運転、および暖房兼デフロスト運転を行うことが可能である。
【００３６】
（１）冷房運転
冷房運転時は、四路切換弁１１３が図１の実線で示される状態、すなわち、圧縮機１１１の吐出管１２６が室外熱交換器１１２のガス側に接続され、かつ、圧縮機１１１の吸入管１２５が気液分離器１１４を介して第２ガス側閉鎖弁１３２側に接続された状態となる。また、第１電動膨張弁ＥＶ１は過冷却度制御（以下、ＳＣ制御という）され、第２電動膨張弁ＥＶ２は全閉状態とされる。なお、第１電動膨張弁ＥＶ１がＳＣ制御されると、第１電動膨張弁ＥＶ１の弁開度が、室外熱交換器１１２のガス側における冷媒の温度から室外熱交換器１１２の液側における冷媒の温度を引いた差分が一定の負の値（例えば、−５℃）となるように調節される。また、第１電磁弁ＳＶ１はＯＮされて開状態とされ、第２電磁弁ＳＶ２はＯＦＦされて閉状態とされる（図２参照）。そして、液側閉鎖弁１３３、第１ガス側閉鎖弁１３１、および第２ガス側閉鎖弁１３２は開状態とされる。
【００３７】
この冷媒回路１０の状態で、圧縮機１１１を起動すると、ガス冷媒が、圧縮機１１１に吸入されて圧縮された後、吐出管１２６、四路切換弁１１３、および第１ＢＬ接続点ＢＣ１を経由して室外熱交換器１１２に送られ、室外熱交換器１１２において凝縮されて液冷媒となる。
そして、この液冷媒は、液側閉鎖弁１３３および第１ＨＬ接続点ＨＣ１を経由して第１電動膨張弁ＥＶ１に送られる。第１電動膨張弁ＥＶ１に送られた液冷媒は、減圧された後に室内熱交換器１７１に供給され、室内空気を冷却するとともに蒸発されてガス冷媒となる。
【００３８】
そして、そのガス冷媒は、第２ＢＬ接続点ＢＣ２、第１電磁弁ＳＶ１、第２ＨＬ接続点ＨＣ２、第２ガス側閉鎖弁１３２、四路切換弁１１３、および気液分離器１１４を経由して、再び、圧縮機１１１に吸入される。このようにして、冷房運転が行われる。
（２）暖房運転
暖房運転時は、四路切換弁１１３が図１の破線で示される状態、すなわち、圧縮機１１１の吐出側が第２ガス側閉鎖弁１３２に接続され、かつ、圧縮機１１１の吸入側が気液分離器１１４を介して室外熱交換器１１２のガス側に接続された状態となっている。また、第１電動膨張弁ＥＶ１はＳＣ制御され、第２電動膨張弁ＥＶ２は全閉状態とされる。なお、第１電動膨張弁ＥＶ１がＳＣ制御されると、第１電動膨張弁ＥＶ１の弁開度が、室内熱交換器１７１のガス側における冷媒の温度から室内熱交換器１７１の液側における冷媒の温度を引いた差分が一定の負の値（例えば、−５℃）となるように調節される。また、第１電磁弁ＳＶ１および第２電磁弁ＳＶ２は、ＯＦＦされて閉状態とされる（図２参照）。そして、液側閉鎖弁１３３、第１ガス側閉鎖弁１３１、および第２ガス側閉鎖弁１３２は開状態とされる。
【００３９】
この冷媒回路１０の状態で、圧縮機１１１を起動すると、ガス冷媒が、圧縮機１１１に吸入されて圧縮された後、吐出管１２６、四路切換弁１１３、第２ガス側閉鎖弁１３２、第２ＨＬ接続点ＨＣ２、第１逆止弁１６１、および第２ＢＬ接続点ＢＣ２を経由して、室内熱交換器１７１に供給される。
そして、そのガス冷媒は、室内熱交換器１７１において室内空気を加熱するとともに凝縮されて液冷媒となる。この液冷媒は、第１電動膨張弁ＥＶ１に送られる。第１電動膨張弁ＥＶ１に送られた液冷媒は、減圧された後に第１ＨＬ接続点ＨＣ１および液側閉鎖弁１３３を経由して室外熱交換器１１２に送られて、室外熱交換器１１２において蒸発されてガス冷媒となる。このガス冷媒は、第１ＢＬ接続点ＢＣ１、四路切換弁１１３、および気液分離器１１４を経由して、吸入管１２５に戻り、再び、圧縮機１１１に吸入される。このようにして、暖房運転が行われる。
【００４０】
（３）暖房兼温蓄熱運転
暖房兼温蓄熱運転時は、四路切換弁１１３が図１の破線で示される状態、すなわち、圧縮機１１１の吐出側が第２ガス側閉鎖弁１３２に接続され、かつ、圧縮機１１１の吸入側が気液分離器１１４を介して室外熱交換器１１２のガス側に接続された状態となっている。また、第１電動膨張弁ＥＶ１はＳＣ制御され、第２電動膨張弁ＥＶ２は所定の開度を維持する状態とされる。なお、第１電動膨張弁ＥＶ１がＳＣ制御されると、第１電動膨張弁ＥＶ１の弁開度が、室内熱交換器１７１のガス側における冷媒の温度から室内熱交換器１７１の液側における冷媒の温度を引いた差分が一定の負の値（例えば、−５℃）となるように調節される。また、第１電磁弁ＳＶ１および第２電磁弁ＳＶ２はＯＦＦされて閉状態とされる（図２参照）。そして、液側閉鎖弁１３３、第１ガス側閉鎖弁１３１、および第２ガス側閉鎖弁１３２は開状態とされる。
【００４１】
この冷媒回路１０の状態で、圧縮機１１１を起動すると、ガス冷媒が、圧縮機１１１に吸入されて圧縮された後、吐出管１２６、四路切換弁１１３、および第２ガス側閉鎖弁１３２を経由して第２ＨＬ接続点ＨＣ２に至る。そして、第２ＨＬ接続点ＨＣ２に至ったガス冷媒は、その後、第１逆止弁１６１および第２ＢＬ接続点ＢＣ２を経由して室内熱交換器１７１に向かう経路である第１経路と、蓄熱用熱交換器１４１に向かう経路である第２経路とに分配される。
【００４２】
第１経路に分配されたガス冷媒は、室内熱交換器１７１において室内空気を加熱するとともに凝縮されて液冷媒となる。この液冷媒は、第１電動膨張弁ＥＶ１に送られる。第１電動膨張弁ＥＶ１に送られた液冷媒は、減圧された後に第１ＨＬ接続点ＨＣ１に送られる。
一方、第２経路に分配されたガス冷媒は、蓄熱用熱交換器１４１において蓄熱材を加熱するとともに凝縮されて液冷媒となる。この際、蓄熱材は、固相から液相に相転移し、ガス冷媒から供給される温熱を主に潜熱として蓄積する。その後、この液冷媒は、第２電動膨張弁ＥＶ２を経由して第１ＨＬ接続点ＨＣ１に至る。
【００４３】
そして、第１電動膨張弁ＥＶ１を経由して第１ＨＬ接続点ＨＣ１に至った液冷媒と、第２電動膨張弁ＥＶ２を経由して第１ＨＬ接続点ＨＣ１に至った液冷媒とは、第１ＨＬ接続点において合流した後、液側閉鎖弁１３３を経由して室外熱交換器１１２に送られ、室外熱交換器１１２において蒸発されてガス冷媒となる。このガス冷媒は、第１ＢＬ接続点ＢＣ１、四路切換弁１１３、および気液分離器１１４を経由して、吸入管１２５に戻り、再び、圧縮機１１１に吸入される。
【００４４】
なお、この暖房兼温蓄熱運転は、主に、空気調和装置１の起動時に行われ、蓄熱槽１４２に設けられている蓄熱材の温度検出用の温度センサの値が所定値以上になると自動的に暖房運転に切り換わるようになっている。
（４）デフロスト運転
デフロスト運転時は、四路切換弁１１３が図１の実線で示される状態、すなわち、圧縮機１１１の吐出管１２６が室外熱交換器１１２のガス側に接続され、かつ、圧縮機１１１の吸入管１２５が気液分離器１１４を介して第２ガス側閉鎖弁１３２側に接続された状態となる。また、第１電動膨張弁ＥＶ１は所定の開度を維持する状態とされ、第２電動膨張弁ＥＶ２は全閉状態とされる。また、第１電磁弁ＳＶ１はＯＮされて開状態とされ、第２電磁弁ＳＶ２はＯＦＦされて閉状態とされる（図２参照）。そして、液側閉鎖弁１３３、第１ガス側閉鎖弁１３１、および第２ガス側閉鎖弁１３２は開状態とされる。
【００４５】
この冷媒回路１０の状態で、圧縮機１１１を起動すると、ガス冷媒が、圧縮機１１１に吸入されて圧縮された後、吐出管１２６、四路切換弁１１３、および第１ＢＬ接続点ＢＣ１を経由して室外熱交換器１１２に送られ、室外熱交換器１１２の外表面に付着している霜を融解するとともに凝縮されて液冷媒となる。
そして、室外熱交換器１１２で凝縮された液冷媒は、液側閉鎖弁１３３および第１ＨＬ接続点ＨＣ１を経由して第１電動膨張弁ＥＶ１に送られる。第１電動膨張弁ＥＶ１に送られた液冷媒は、減圧された後に室内熱交換器１７１に供給され、室内熱交換器１７１の周囲の空気を冷却するとともに蒸発されてガス冷媒となる。なお、この際、空調室内を積極的に冷房しないように、室内ファンが駆動しないように制御される。
【００４６】
そして、そのガス冷媒は、第２ＢＬ接続点ＢＣ２、第１電磁弁ＳＶ１、第２ＨＬ接続点ＨＣ２、第２ガス側閉鎖弁１３２、四路切換弁１１３、および気液分離器１１４を経由して、再び、圧縮機１１１に吸入される。
なお、このデフロスト運転は、室外熱交換器１１２の外表面の温度や外気温などのパラメータに基づいて切り換わるようなっている。また、このデフロスト運転は、室内熱交換器１７１に霜が付着しないように、暖房運転などとの間で間欠的に行われる。
【００４７】
（５）暖房兼デフロスト運転
暖房兼デフロスト運転時は、四路切換弁１１３が図１の実線で示される状態、すなわち、圧縮機１１１の吐出管１２６が室外熱交換器１１２のガス側に接続され、かつ、圧縮機１１１の吸入管１２５が気液分離器１１４を介して第２ガス側閉鎖弁１３２側に接続された状態となる。また、第１電動膨張弁ＥＶ１は全開状態とされ、第２電動膨張弁ＥＶ２は高圧制御（以下、ＨＰ制御という）される。なお、第２電動膨張弁ＥＶ２がＨＰ制御されると、第２電動膨張弁ＥＶ２の弁開度が、圧縮機１１１の吐出圧力が所定値以上となるように調節される。また、第１電磁弁ＳＶ１はＯＦＦされて閉状態とされ、第２電磁弁ＳＶ２はＯＮされて開状態とされる（図２参照）。そして、液側閉鎖弁１３３、第１ガス側閉鎖弁１３１、および第２ガス側閉鎖弁１３２は開状態とされる。
【００４８】
この冷媒回路１０の状態で、圧縮機１１１を起動すると、ガス冷媒が、圧縮機１１１に吸入されて圧縮された後、吐出管１２６および四路切換弁１１３を経由して第１ＢＬ接続点ＢＣ１に至る。そして、第１ＢＬ接続点ＢＣ１に至ったガス冷媒は、その後、第１ガス側閉鎖弁１３１、第２切換機構ＯＣ２、および第２ＢＬ接続点ＢＣ２を経由して室内熱交換器１７１に向かう経路である第３経路と、室外熱交換器１１２に向かう経路である第４経路とに分配される。
【００４９】
第３経路に分配されたガス冷媒は、室内熱交換器１７１において室内空気を加熱するとともに凝縮されて液冷媒となる。この液冷媒は、第１電動膨張弁ＥＶ１を経由して第１ＨＬ接続点ＨＣ１に至る。
一方、第４経路に分配されたガス冷媒は、室外熱交換器１１２の外表面に付着している霜を融解するとともに凝縮されて液冷媒となる。この液冷媒は、液側閉鎖弁１３３を経由して第１ＨＬ接続点ＨＣ１に至る。
【００５０】
そして、第１電動膨張弁ＥＶ１を経由して第１ＨＬ接続点ＨＣ１に至った液冷媒と、液側閉鎖弁１３３を経由して第１ＨＬ接続点ＨＣ１に至った液冷媒とは、第１ＨＬ接続点ＨＣ１において合流した後、第２電動膨張弁ＥＶ２に送られる。第２電動膨張弁ＥＶ２に送られた液冷媒は、減圧された後に蓄熱用熱交換器１４１に送られ、蓄熱用熱交換器１４１において温熱を蓄積している蓄熱材によって蒸発されてガス冷媒となる。この際、蓄熱材は、蓄熱していた温熱を放出するため、液相から固相に相転移することとなる。その後、そのガス冷媒は、第２ＨＬ接続点ＨＣ２、第２ガス側閉鎖弁１３２、四路切換弁１１３、および気液分離器１１４を経由して、吸入管１２５に戻り、再び、圧縮機１１１に吸入される。
【００５１】
なお、この冷媒回路１０には、暖房兼デフロスト運転時において室外熱交換器１１２に液冷媒が溜まるように冷媒が充填されている。このため、他の運転時においては冷媒が余剰となるが、この余剰冷媒は、主に、気液分離器１１４に貯留される。
また、この暖房兼デフロスト運転は、室外熱交換器１１２の外表面の温度や外気温などのパラメータに基づいて切り換わるようなっている。また、このデフロスト運転は、所定時間（例えば、１０分間）継続して行われる。
【００５２】
［空気調和装置の特徴］
（１）
第１実施形態に係る空気調和装置１では、冷媒回路１０にバイパスライン１ｂが設けられており、圧縮機１１１から吐出された高温の冷媒が、室外熱交換器１１２と室内熱交換器１７１との両方に供給され、室外熱交換器１１２と室内熱交換器１７１との両方が凝縮器として機能する状態をつくり出すことができる。このため、この空気調和装置１では、室外熱交換器１１２の外表面に付着している霜を除去すると同時に暖房運転を行う暖房兼デフロスト運転を実現することができる。
【００５３】
（２）
第１実施形態に係る空気調和装置１では、冷媒回路１０に、暖房兼デフロスト運転において室外熱交換器１１２に液状冷媒が溜まるように冷媒が充填される。このため、この空気調和装置２では、暖房兼デフロスト運転において、室内熱交換器１７１へ流れる吐出冷媒の凝縮温度および凝縮圧力の低下を抑えることができ、暖房兼デフロスト運転における室内熱交換器１７１の暖房能力の低下を抑えることができる。
【００５４】
（３）
第１実施形態に係る空気調和装置１では、暖房兼デフロスト状態において、室内熱交換器１７１から流出した冷媒と室外熱交換器１１２から流出した冷媒とが合流して蓄熱用熱交換器１４１を通って圧縮機１１１に吸入される。このため、この空気調和装置１では、暖房兼デフロスト状態において、室内熱交換器１７１から流出した冷媒と室外熱交換器１１２から流出した冷媒とを蓄熱用熱交換器１４１で一括して蒸発させることができる。したがって、この空気調和装置１では、冷媒回路１０の構成をシンプルにすることができる。
【００５５】
（４）
第１実施形態に係る空気調和装置１では、暖房兼温蓄熱状態において、圧縮機１１１から吐出されたガス冷媒が室内熱交換器１７１と蓄熱用熱交換器１４１とに分配される。このため、この空気調和装置１では、暖房運転を行うと同時に蓄熱材に温熱を蓄積させることができる。したがって、この空気調和装置１では、室内の暖房を継続的に行うことができる。
【００５６】
（５）
第１実施形態に係る空気調和装置１では、暖房兼温蓄熱状態において、室内熱交換器１７１から流出した冷媒と蓄熱用熱交換器１４１から流出した冷媒とが合流して室外熱交換器１１２を通って圧縮機１１１に吸入される。このため、この空気調和装置１では、暖房兼温蓄熱状態において、室内熱交換器１７１から流出した冷媒と蓄熱用熱交換器１４１から流出した冷媒とを室外熱交換器１１２で一括して蒸発させることができる。したがって、この空気調和装置１では、冷媒回路１０の構成をシンプルにすることができる。
【００５７】
（６）
第１実施形態に係る空気調和装置１では、冷媒回路１０が、四路切換弁１１３および第１電磁弁ＳＶ１を有する。このため、この空気調和装置１では、暖房兼温蓄熱運転と暖房兼デフロスト運転との間で冷媒の流れを適切に制御することができる。
（７）
第１実施形態に係る空気調和装置１では、冷媒回路１０が、第１開閉機構ＯＣ１および第２開閉機構ＯＣ２により冷房運転にも切換可能であり、第２電磁弁ＳＶ２を有する。このため、この空気調和装置１では、暖房兼デフロスト運転と冷房運転との間で冷媒の流れを適切に制御することができる。
【００５８】
（８）
第１実施形態に係る空気調和装置１では、気液分離器１１４が、暖房兼デフロスト運転以外の運転時に発生する余剰冷媒を貯留する。このため、空気調和装置１では、暖房兼デフロスト運転において十分な暖房能力を確保するとともに他の運転において正常な稼働を保証することができる。
【００５９】
（９）
第１実施形態に係る空気調和装置１では、暖房兼デフロスト運転以外の運転時に発生する余剰冷媒を貯留するために気液分離器１１４が採用されている。このため、空気調和装置１では、冷媒回路１０の構成をシンプルなものとすることができる。
［変形例］
（Ａ）
第１実施形態に係る空気調和装置１に代えて、図３に示されるような空気調和装置１Ａを採用しても本発明の作用効果と同様の作用効果を得ることができる。
【００６０】
第１実施形態に係る空気調和装置１では、冷媒回路１０を構成する主冷媒回路１ａにおいて、第２ＢＬ接続点ＢＣ２と第２ＨＬ接続点ＨＣ２との間に第１開閉機構ＯＣ１が配置された。これに対し、本変形例に係る空気調和装置１Ａでは、冷媒回路１０Ａを構成する主冷媒回路１Ａａにおいて、第２ＢＬ接続点ＢＣ２と第２ＨＬ接続点ＨＣ２との間に双方向電磁弁ＳＶ１Ａが配置される。なお、双方向電磁弁ＳＶ１Ａは、蓄熱ユニット１４Ａに属することとなる。
【００６１】
（Ｂ）
第１実施形態に係る空気調和装置１に代えて、図４に示されるような空気調和装置１Ｂを採用しても本発明の作用効果と同様の作用効果を得ることができる。
第１実施形態に係る空気調和装置１では、冷媒回路１０を構成する主冷媒回路１ａにおいて第２ＢＬ接続点ＢＣ２と第２ＨＬ接続点ＨＣ２との間に第１開閉機構ＯＣ１が配置され、冷媒回路１０を構成するバイパスライン１ｂにおいて第２開閉機構ＯＣ２が配置された。これに対し、本変形例に係る空気調和装置１Ｂでは、主冷媒回路１Ｂａとバイパスライン１Ｂｂとの室内側の接続点に四路切換弁１４３およびキャピラリーチューブ１４４が配置される。なお、この四路切換弁１４３およびキャピラリーチューブ１４４は、蓄熱ユニット１４Ｂに属することとなる。また、この冷媒回路１０Ｂにおいて、四路切換弁１４３は、冷房運転時、暖房運転時、暖房兼温蓄熱運転時、およびデフロスト運転時には図４の破線で示される状態にされ、暖房兼デフロスト運転時には図４の実線で示される状態にされる。
【００６２】
＜第２実施形態＞
［空気調和装置の構成］
本発明の一実施形態にかかる空気調和装置２の概略冷媒回路２０を図５に示す。
この空気調和装置２は、冷房運転および暖房運転のみならず氷蓄熱運転、氷蓄熱利用冷房運転、デフロスト運転、暖房兼温蓄熱運転、および暖房兼デフロスト運転も可能な空気調和装置（冬季などにおいて気温が氷点下となるような寒冷地向けの空気調和装置）であって、主冷媒回路２ａ、バイパスライン２ｂ、蓄熱ライン２ｃ、および利用ライン２ｄから構成される冷媒回路２０を備えている。
【００６３】
主冷媒回路２ａには主に、圧縮機２１１、四路切換弁２１３、室外熱交換器２１２、第５開閉機構ＯＣ５、第１電動膨張弁ＥＶ１、室内熱交換器２７１、第１開閉機構ＯＣ１、および気液分離器２１４が配備されており、各機器は、図５に示されるように、冷媒配管を介して接続されている。
バイパスライン２ｂは、一端が四路切換弁２１３と室外熱交換器２１２のガス側とを接続する冷媒配管（以下、第１室外側冷媒ガス配管という）に、他端が第１開閉機構ＯＣ１と室内熱交換器２７１のガス側とを接続する冷媒配管（以下、室内側冷媒ガス配管という）に配管接続されることによって主冷媒回路２ａと接続されている。なお、以下、バイパスライン２ｂと第１室外側冷媒ガス配管との接続点を第１ＢＬ接続点ＢＣ１といい、バイパスライン２ｂと室内側冷媒ガス配管との接続点を第２ＢＬ接続点ＢＣ２という。そして、このバイパスライン２ｂには、第２開閉機構ＯＣ２が配備されている。
【００６４】
蓄熱ライン２ｃは、一端が第５開閉機構ＯＣ５と第１電動膨張弁ＥＶ１とを接続する冷媒配管（以下、室内側冷媒液配管という）に、他端が第１開閉機構ＯＣ１と四路切換弁２１３とを接続する冷媒配管（以下、第２室外側冷媒ガス配管という）に配管接続されることによって主冷媒回路２ａと接続されている。なお、以下、蓄熱ライン２ｃと室内側冷媒液配管との接続点を第１ＨＬ接続点ＨＣ１といい、蓄熱ライン２ｃと第２室外側冷媒ガス配管との接続点を第２ＨＬ接続点ＨＣ２という。そして、この蓄熱ライン２ｃには第３開閉機構ＯＣ３、蓄熱用熱交換器２４１、および第２電動膨張弁ＥＶ２が配備されており、各機器が第２ＨＬ接続点ＨＣ２から第１ＨＬ接続点ＨＣ１に向かって上記の順に冷媒配管を介して接続されている。
【００６５】
利用ライン２ｄは、一端が室外熱交換器２１２の液側と第５開閉機構ＯＣ５とを接続する冷媒配管（以下、室外側冷媒液配管という）に、他端が第３開閉機構ＯＣ３と蓄熱用熱交換器２４１とを接続する冷媒配管（以下、ガス管側バイパス配管という）に配管接続されることによって主冷媒回路２ａおよび蓄熱ライン２ｃと接続されている。なお、以下、利用ライン２ｄと室外側冷媒液配管との接続点を第１ＩＬ接続点ＩＣ１といい、利用ライン２ｄとガス管側バイパス配管との接続点を第２ＩＬ接続点ＩＣ２という。そして、この利用ライン２ｄには、第４開閉機構ＯＣ４が配備されている。
【００６６】
また、本実施形態では、空気調和装置２は、分離型の空気調和装置であって、室内熱交換器２７１、第１電動膨張弁ＥＶ１、冷媒ガス配管２８１、および冷媒液配管２８２を主に有する室内ユニット２７と、蓄熱用熱交換器２４１、蓄熱水槽２４２、第２電動膨張弁ＥＶ２、第１開閉機構ＯＣ１、第２開閉機構ＯＣ２、第３開閉機構ＯＣ３、第４開閉機構ＯＣ４、第５開閉機構ＯＣ５、第１冷媒ガス配管２５１、第２冷媒ガス配管２５３、および冷媒液配管２５２を主に有する氷蓄熱ユニット２４と、圧縮機２１１、四路切換弁２１３、室外熱交換器２１２、気液分離器２１４、第１冷媒ガス配管２２１、第２冷媒ガス配管２２３、および冷媒液配管２２２を主に有する室外ユニット２１と、室内ユニット２７の冷媒液配管２８２と氷蓄熱ユニット２４の冷媒液配管２５２とを接続する第１冷媒連絡配管２８７と、室内ユニット２７の冷媒ガス配管２８１と氷蓄熱ユニット２４の冷媒ガス配管２５１とを接続する第２冷媒連絡配管２８６と、氷蓄熱ユニット２４の冷媒液配管２５２と室外ユニット２１の冷媒液配管２２２とを接続する第３冷媒連絡配管２３７と、氷蓄熱ユニット２４の第１冷媒ガス配管２５１と室外ユニット２１の第１冷媒ガス配管２２１とを接続する第４冷媒連絡配管２３６と、氷蓄熱ユニット２４の第２冷媒ガス配管２５３と室外ユニット２１の第２冷媒ガス配管２２３とを接続する第５冷媒連絡配管２３５とから構成されているともいえる。なお、室外ユニット２１の冷媒液配管２２２と第３冷媒連絡配管２３７とは室外ユニット２１の液側閉鎖弁２３３を介して、室外ユニット２１の第１冷媒ガス配管２２１と第４冷媒連絡配管２３６とは室外ユニット２１の第２ガス側閉鎖弁２３２を介して、室外ユニット２１の第２冷媒ガス配管２２３と第５冷媒連絡配管２３５とは室外ユニット２１の第１ガス側閉鎖弁２３１を介してそれぞれ接続されている。
【００６７】
なお、このように本実施形態にかかる空気調和装置２をユニット単位で見た場合、第１ＢＬ接続点ＢＣ１は室外ユニット２１に属し、第２ＢＬ接続点ＢＣ２、第１ＨＬ接続点ＨＣ１、第２ＨＬ接続点ＨＣ２、第１ＩＬ接続点ＩＣ１、および第２ＩＬ接続点ＩＣ２は氷蓄熱ユニット２４に属する。
（１）室内ユニット
室内ユニット２７は、主に、室内熱交換器２７１、第１電動膨張弁ＥＶ１、室内ファン（図示せず）、冷媒ガス配管２８１、および冷媒液配管２８２を有している。
【００６８】
室内熱交換器２７１は、空調室内の空気である室内空気と冷媒との間で熱交換をさせるための熱交換器である。
室内ファンは、ユニット２７内に空調室内の空気を取り込み、室内熱交換器２７１を介して冷媒と熱交換した後の空気である調和空気を再び空調室内への送り出すためファンである。
【００６９】
そして、この室内ユニット２７は、このような構成を採用することによって、冷房運転時および氷蓄熱利用冷房運転時には室内ファンにより内部に取り込んだ室内空気と室内熱交換器２７１を流れる液冷媒とを熱交換させて調和空気（冷気）を生成し、暖房運転時、暖房兼温蓄熱運転時、および暖房兼デフロスト運転時には室内ファンにより内部に取り込んだ室内空気と室内熱交換器２７１を流れるガス冷媒とを熱交換させて調和空気（暖気）を生成することが可能となっている。
【００７０】
（２）氷蓄熱ユニット
氷蓄熱ユニット２４は、主に、蓄熱用熱交換器２４１、蓄熱水槽２４２、第２電動膨張弁ＥＶ２、第１開閉機構ＯＣ１、第２開閉機構ＯＣ２、第３開閉機構ＯＣ３、第４開閉機構ＯＣ４、第５開閉機構ＯＣ５、第１冷媒ガス配管２５１、第２冷媒ガス配管２５３、および冷媒液配管２５２を有している。
【００７１】
蓄熱用熱交換器２４１は、蓄熱水槽２４２に蓄えられている蓄熱用水と冷媒との間で熱交換をさせるための熱交換器である。
第１開閉機構ＯＣ１は、開閉可能な第１電磁弁ＳＶ１および第１逆止弁２６１を有している。この第１開閉機構ＯＣ１では、第１電磁弁ＳＶ１と第１逆止弁２６１とが冷媒流れに対して並列に配置される。また、この第１逆止弁２６１は、各ユニット２１，２４，２７が接続された状態において第２ガス側閉鎖弁２３２から第２ＢＬ接続点ＢＣ２に向かう冷媒の流れのみを許容するように取り付けられている。
【００７２】
第２開閉機構ＯＣ２は、開閉可能な第２電磁弁ＳＶ２および第２逆止弁２６２を有している。この第２開閉機構ＯＣ２では、第２電磁弁ＳＶ２と第２逆止弁２６２とが冷媒流れに対して直列に配置される。なお、この際、第２電磁弁ＳＶ２は第１ＢＬ接続点ＢＣ１側に、第２逆止弁２６２は第２ＢＬ接続点ＢＣ２側に配置される。また、この第２逆止弁２６２は、各ユニット２１，２４，２７が接続された状態において第１ガス側閉鎖弁２３１から第２ＢＬ接続点ＢＣ２に向かう冷媒の流れのみを許容するように取り付けられている。
【００７３】
第３開閉機構ＯＣ３は、開閉可能な第３電磁弁ＳＶ３および第３逆止弁２６３を有している。この第３開閉機構ＯＣ３では、第３電磁弁ＳＶ３と第３逆止弁２６３とが冷媒流れに対して並列に配置される。また、この第３逆止弁２６３は、第２ＨＬ接続点ＨＣ２から第２ＩＬ接続点ＩＣ２に向かう冷媒の流れのみを許容するように取り付けられている。
第４開閉機構ＯＣ４は、開閉可能な第４電磁弁ＳＶ４および第４逆止弁２６４を有している。この第４開閉機構ＯＣ４では、第４電磁弁ＳＶ４と第４逆止弁２６４とが冷媒流れに対して直列に配置される。なお、この際、第４電磁弁ＳＶ４は第１ＩＬ接続点ＩＣ１側に、第４逆止弁２６４は第２ＩＬ接続点ＩＣ２側に配置される。また、この第４逆止弁２６４は、第１ＩＬ接続点ＩＣ１から第２ＩＬ接続点ＩＣ２に向かう冷媒の流れのみを許容するように取り付けられている。
【００７４】
第５開閉機構ＯＣ５は、開閉可能な第５電磁弁ＳＶ５および第５逆止弁２６５を有している。この第５開閉機構ＯＣ５では、第５電磁弁ＳＶ５と第５逆止弁２６５とが冷媒流れに対して並列に配置される。また、この第５逆止弁２６５は、第１ＨＬ接続点ＨＣ１から第１ＩＬ接続点ＩＣ１に向かう冷媒の流れのみを許容するように取り付けられている。
そして、この氷蓄熱ユニット２４は、このような構成を採用することによって、氷蓄熱運転時には蓄熱用熱交換器２４１を流れる液冷媒の冷熱を蓄熱用水に蓄積させ、氷蓄熱利用運転時には蓄熱用熱交換器２４１を流れるガス状または気液二相状態の冷媒にその冷熱を供給することによってそのガス状または気液二相状態の冷媒を凝縮させ、暖房兼温蓄熱運転時には蓄熱用熱交換器２４１を流れるガス冷媒の温熱を蓄熱用水に蓄積させ、また、暖房兼デフロスト運転時には蓄熱用熱交換器２４１を流れる液冷媒に蓄熱用水に蓄積される温熱を供給することによってその液冷媒を蒸発させることが可能となっている。なお、この蓄熱用水は、氷蓄熱運転時には液相から固相に相転移して液冷媒から供給される冷熱を主に潜熱として蓄積し、暖房兼温蓄熱運転時にはガス冷媒から供給される温熱を顕熱として蓄積する。
【００７５】
（３）室外ユニット
室外ユニット２１は、主に、四路切換弁２１３、気液分離器２１４、圧縮機２１１、室外熱交換器２１２、第１冷媒ガス配管２２１、第２冷媒ガス配管２２３、および冷媒液配管２２２を有している。
圧縮機２１１は、吸入管２２５を流れる低圧のガス冷媒を吸入して圧縮した後、吐出管２２６に吐出するための機器である。本実施形態において、圧縮機２１１は、スクロール式やロータリ式等の容積式の圧縮機である。
【００７６】
四路切換弁２１３は、各運転に対応して、冷媒の流れ方向を切り換えるための弁であり、冷房運転時、氷蓄熱運転時、氷蓄熱利用冷房運転時、デフロスト運転時、および暖房兼デフロスト運転時には圧縮機２１１の吐出管２２６と室外熱交換器２１２のガス側とを接続するとともに圧縮機２１１の吸入管２２５と第２ガス側閉鎖弁２３２とを気液分離器２１４を介して接続し、暖房運転時および暖房兼温蓄熱運転時には圧縮機２１１の吐出管２２６と第２ガス側閉鎖弁２３２とを接続するとともに圧縮機２１１の吸入管２２５と室外熱交換器２１２のガス側とを気液分離器２１４を介して接続することが可能である。
【００７７】
室外熱交換器２１２は、冷房運転時、氷蓄熱運転時、および氷蓄熱利用冷房運転時において、圧縮機２１１から吐出された高圧のガス冷媒を空調室外の空気を熱源として凝縮させることが可能であり、暖房運転時には室内熱交換器２７１から戻る液冷媒を、暖房兼温蓄熱運転時には室内熱交換器２７１および蓄熱用熱交換器２４１から戻る液冷媒を蒸発させることが可能である。
【００７８】
［空気調和装置の動作］
空気調和装置２の運転動作について、図５および図６を用いて説明する。この空気調和装置１は、上述したように冷房運転、氷蓄熱運転、氷蓄熱利用冷房運転、暖房運転、暖房兼温蓄熱運転、デフロスト運転、および暖房兼デフロスト運転を行うことが可能である。
（１）冷房運転
冷房運転時は、四路切換弁２１３が図５の実線で示される状態、すなわち、圧縮機２１１の吐出管２２６が室外熱交換器２１２のガス側に接続され、かつ、圧縮機２１１の吸入管２２５が気液分離器２１４を介して第２ガス側閉鎖弁２３２側に接続された状態となる。また、第１電動膨張弁ＥＶ１は過冷却度制御（以下、ＳＣ制御という）され、第２電動膨張弁ＥＶ２は全閉状態とされる。なお、第１電動膨張弁ＥＶ１がＳＣ制御されると、第１電動膨張弁ＥＶ１の弁開度が、室外熱交換器２１２のガス側における冷媒の温度から室外熱交換器２１２の液側における冷媒の温度を引いた差分が一定の負の値（例えば、−５℃）となるように調節される。また、第１電磁弁ＳＶ１、第３電磁弁ＳＶ３、および第５電磁弁ＳＶ５はＯＮされて開状態とされ、第２電磁弁ＳＶ２および第４電磁弁ＳＶ４はＯＦＦされて閉状態とされる（図６参照）。そして、液側閉鎖弁２３３、第１ガス側閉鎖弁２３１、および第２ガス側閉鎖弁２３２は開状態とされる。
【００７９】
この冷媒回路２０の状態で、圧縮機２１１を起動すると、ガス冷媒が、圧縮機２１１に吸入されて圧縮された後、吐出管２２６、四路切換弁２１３、および第１ＢＬ接続点ＢＣ１を経由して室外熱交換器２１２に送られ、室外熱交換器２１２において凝縮されて液冷媒となる。
そして、この液冷媒は、液側閉鎖弁２３３、第１ＩＬ接続点ＩＣ１、第５電磁弁ＳＶ５、第１ＨＬ接続点ＨＣ１を経由して第１電動膨張弁ＥＶ１に送られる。第１電動膨張弁ＥＶ１に送られた液冷媒は、減圧された後に室内熱交換器２７１に供給され、室内空気を冷却するとともに蒸発されてガス冷媒となる。
【００８０】
そして、そのガス冷媒は、第２ＢＬ接続点ＢＣ２、第１電磁弁ＳＶ１、第２ＨＬ接続点ＨＣ２、第２ガス側閉鎖弁２３２、四路切換弁２１３、および気液分離器２１４を経由して、再び、圧縮機２１１に吸入される。このようにして、冷房運転が行われる。
（２）氷蓄熱運転
氷蓄熱運転時は、四路切換弁２１３が図５の実線で示される状態、すなわち、圧縮機２１１の吐出管２２６が室外熱交換器２１２のガス側に接続され、かつ、圧縮機２１１の吸入管２２５が気液分離器２１４を介して第２ガス側閉鎖弁２３２側に接続された状態となる。また、第１電動膨張弁ＥＶ１は全閉状態とされ、第２電動膨張弁ＥＶ２はＳＣ制御される。なお、第２電動膨張弁ＥＶ２がＳＣ制御されると、第２電動膨張弁ＥＶ２の弁開度が、室外熱交換器２１２のガス側における冷媒の温度から室外熱交換器２１２の液側における冷媒の温度を引いた差分が一定の負の値（例えば、−５℃）となるように調節される。また、第１電磁弁ＳＶ１、第３電磁弁ＳＶ３、および第５電磁弁ＳＶ５はＯＮされて開状態とされ、第２電磁弁ＳＶ２および第４電磁弁ＳＶ４はＯＦＦされて閉状態とされる（図６参照）。そして、液側閉鎖弁２３３、第１ガス側閉鎖弁２３１、および第２ガス側閉鎖弁２３２は開状態とされる。
【００８１】
この冷媒回路２０の状態で、圧縮機２１１を起動すると、ガス冷媒が、圧縮機２１１に吸入されて圧縮された後、吐出管２２６、四路切換弁２１３、および第１ＢＬ接続点ＢＣ１を経由して室外熱交換器２１２に送られ、室外熱交換器２１２において凝縮されて液冷媒となる。
そして、この液冷媒は、液側閉鎖弁２３３、第１ＩＬ接続点ＩＣ１、第５電磁弁ＳＶ５、第１ＨＬ接続点ＨＣ１を経由して第２電動膨張弁ＥＶ２に送られる。第２電動膨張弁ＥＶ２に送られた液冷媒は、減圧された後に蓄熱用熱交換器２４１に供給され、蓄熱用水を冷却するとともに蒸発されてガス冷媒となる。この際、蓄熱用水は、液相から固相に相転移し、液冷媒から供給される冷熱を主に潜熱として蓄積する。
【００８２】
そして、そのガス冷媒は、第２ＩＬ接続点ＩＣ２、第３電磁弁ＳＶ３、第２ＨＬ接続点ＨＣ２、第２ガス側閉鎖弁２３２、四路切換弁２１３、および気液分離器２１４を経由して、再び、圧縮機２１１に吸入される。このようにして、氷蓄熱運転が行われる。
（３）氷蓄熱利用冷房運転
氷蓄熱利用冷房運転時は、四路切換弁２１３が図５の実線で示される状態、すなわち、圧縮機２１１の吐出管２２６が室外熱交換器２１２のガス側に接続され、かつ、圧縮機２１１の吸入管２２５が気液分離器２１４を介して第２ガス側閉鎖弁２３２側に接続された状態となる。また、第１電動膨張弁ＥＶ１はＳＣ制御され、第２電動膨張弁ＥＶ２は全開状態とされる。なお、第１電動膨張弁ＥＶ１がＳＣ制御されると、第１電動膨張弁ＥＶ１の弁開度が、蓄熱用熱交換器２４１の第２ＩＬ接続点ＩＣ２側における冷媒の温度から蓄熱用熱交換器２４１の第２電動膨張弁ＥＶ２側における冷媒の温度を引いた差分が一定の負の値（例えば、−５℃）となるように調節される。また、第１電磁弁ＳＶ１および第４電磁弁ＳＶ４はＯＮされて開状態とされ、第２電磁弁ＳＶ２、第３電磁弁ＳＶ３、および第５電磁弁ＳＶ５はＯＦＦされて閉状態とされる（図６参照）。そして、液側閉鎖弁２３３、第１ガス側閉鎖弁２３１、および第２ガス側閉鎖弁２３２は開状態とされる。
【００８３】
この冷媒回路２０の状態で、圧縮機２１１を起動すると、ガス冷媒が、圧縮機２１１に吸入されて圧縮された後、吐出管２２６、四路切換弁２１３、および第１ＢＬ接続点ＢＣ１を経由して室外熱交換器２１２に送られ、室外熱交換器２１２において凝縮されて液状または気液二相の冷媒となる。
そして、この液状または気液二相の冷媒は、液側閉鎖弁２３３、第１ＩＬ接続点ＩＣ１、第４開閉機構ＯＣ４、および第２ＩＬ接続点ＩＣ２を経由して蓄熱用熱交換器２４１に送られ、蓄熱用熱交換器２４１において蓄熱用水に蓄積された冷熱によりさらに低温の液冷媒または液冷媒となる。
【００８４】
そして、このさらに低温の液冷媒または液冷媒は、第２電動膨張弁ＥＶ２および第１ＨＬ接続点ＨＣ１を経由して第１電動膨張弁ＥＶ１に送られる。第１電動膨張弁ＥＶ１に送られた液冷媒は、減圧された後に室内熱交換器２７１に供給され、室内空気を冷却するとともに蒸発されてガス冷媒となる。
そして、そのガス冷媒は、第２ＢＬ接続点ＢＣ２、第１電磁弁ＳＶ１、第２ＨＬ接続点ＨＣ２、第２ガス側閉鎖弁２３２、四路切換弁２１３、および気液分離器２１４を経由して、再び、圧縮機２１１に吸入される。このようにして、氷蓄熱利用冷房運転が行われる。
【００８５】
（４）暖房運転
暖房運転時は、四路切換弁２１３が図５の破線で示される状態、すなわち、圧縮機２１１の吐出側が第２ガス側閉鎖弁２３２に接続され、かつ、圧縮機２１１の吸入側が気液分離器２１４を介して室外熱交換器２１２のガス側に接続された状態となっている。また、第１電動膨張弁ＥＶ１はＳＣ制御され、第２電動膨張弁ＥＶ２は全閉状態とされる。なお、第１電動膨張弁ＥＶ１がＳＣ制御されると、第１電動膨張弁ＥＶ１の弁開度が、室内熱交換器２７１のガス側における冷媒の温度から室内熱交換器２７１の液側における冷媒の温度を引いた差分が一定の負の値（例えば、−５℃）となるように調節される。また、第１電磁弁ＳＶ１、第２電磁弁ＳＶ２、第３電磁弁ＳＶ３、第４電磁弁ＳＶ４、および第５電磁弁ＳＶ５は、ＯＦＦされて閉状態とされる（図６参照）。そして、液側閉鎖弁２３３、第１ガス側閉鎖弁２３１、および第２ガス側閉鎖弁２３２は開状態とされる。
【００８６】
この冷媒回路２０の状態で、圧縮機２１１を起動すると、ガス冷媒が、圧縮機２１１に吸入されて圧縮された後、吐出管２２６、四路切換弁２１３、第２ガス側閉鎖弁２３２、第２ＨＬ接続点ＨＣ２、第１逆止弁２６１、および第２ＢＬ接続点ＢＣ２を経由して、室内熱交換器２７１に供給される。
そして、そのガス冷媒は、室内熱交換器２７１において室内空気を加熱するとともに凝縮されて液冷媒となる。この液冷媒は、第１電動膨張弁ＥＶ１に送られる。第１電動膨張弁ＥＶ１に送られた液冷媒は、減圧された後に第１ＨＬ接続点ＨＣ１、第５逆止弁２６５、第１ＩＬ接続点ＩＣ１、および液側閉鎖弁２３３を経由して室外熱交換器２１２に送られ、室外熱交換器２１２において蒸発されてガス冷媒となる。このガス冷媒は、第１ＢＬ接続点ＢＣ１、四路切換弁２１３、および気液分離器２１４を経由して、吸入管２２５に戻り、再び、圧縮機２１１に吸入される。このようにして、暖房運転が行われる。
【００８７】
（５）暖房兼温蓄熱運転
暖房兼温蓄熱運転時は、四路切換弁２１３が図５の破線で示される状態、すなわち、圧縮機２１１の吐出側が第２ガス側閉鎖弁２３２に接続され、かつ、圧縮機２１１の吸入側が気液分離器２１４を介して室外熱交換器２１２のガス側に接続された状態となっている。また、第１電動膨張弁ＥＶ１はＳＣ制御され、第２電動膨張弁ＥＶ２は所定の開度を維持する状態とされる。なお、第１電動膨張弁ＥＶ１がＳＣ制御されると、第１電動膨張弁ＥＶ１の弁開度が、室内熱交換器２７１のガス側における冷媒の温度から室内熱交換器２７１の液側における冷媒の温度を引いた差分が一定の負の値（例えば、−５℃）となるように調節される。また、第１電磁弁ＳＶ１、第２電磁弁ＳＶ２、第３電磁弁ＳＶ３、第４電磁弁ＳＶ４、第５電磁弁ＳＶ５は、ＯＦＦされて閉状態とされる（図６参照）。そして、液側閉鎖弁２３３、第１ガス側閉鎖弁２３１、および第２ガス側閉鎖弁２３２は開状態とされる。
【００８８】
この冷媒回路２０の状態で、圧縮機２１１を起動すると、ガス冷媒が、圧縮機２１１に吸入されて圧縮された後、吐出管２２６、四路切換弁２１３、および第２ガス側閉鎖弁２３２を経由して第２ＨＬ接続点ＨＣ２に至る。そして、第２ＨＬ接続点ＨＣ２に至ったガス冷媒は、その後、第１逆止弁２６１および第２ＢＬ接続点ＢＣ２を経由して室内熱交換器２７１に向かう経路である第１経路と、第３逆止弁２６３および第２ＩＬ接続点ＩＣ２を経由して蓄熱用熱交換器２４１に向かう経路である第２経路とに分配される。
【００８９】
第１経路に分配されたガス冷媒は、室内熱交換器２７１において室内空気を加熱するとともに凝縮されて液冷媒となる。この液冷媒は、第１電動膨張弁ＥＶ１に送られる。第１電動膨張弁ＥＶ１に送られた液冷媒は、減圧された後に第１ＨＬ接続点ＨＣ１に送られる。
一方、第２経路に分配されたガス冷媒は、蓄熱用熱交換器２４１において蓄熱用水を加熱するとともに凝縮されて液冷媒となる。この際、蓄熱用水は、ガス冷媒から供給される温熱を顕熱として蓄積する。その後、その液冷媒は、第２電動膨張弁ＥＶ２に送られる。第２電動膨張弁ＥＶ２に送られた液冷媒は、減圧された後に第１ＨＬ接続点ＨＣ１に送られる。
【００９０】
そして、第１電動膨張弁ＥＶ１を経由して第１ＨＬ接続点ＨＣ１に至った液冷媒と、第２電動膨張弁ＥＶ２を経由して第１ＨＬ接続点ＨＣ１に至った液冷媒とは、第１ＨＬ接続点において合流した後、第５逆止弁２６５、第１ＩＬ接続点ＩＣ１、液側閉鎖弁２３３を経由して室外熱交換器２１２に送られ、室外熱交換器２１２において蒸発されてガス冷媒となる。このガス冷媒は、第１ＢＬ接続点ＢＣ１、四路切換弁２１３、および気液分離器２１４を経由して、吸入管２２５に戻り、再び、圧縮機２１１に吸入される。
【００９１】
なお、この暖房兼温蓄熱運転は、主に、空気調和装置２の起動時に行われ、蓄熱水槽２４２に設けられている蓄熱用水の温度検出用の温度センサの値が所定の閾値以上になると自動的に暖房運転に切り換わるようになっている。
（６）デフロスト運転
デフロスト運転時は、四路切換弁２１３が図５の実線で示される状態、すなわち、圧縮機２１１の吐出管２２６が室外熱交換器２１２のガス側に接続され、かつ、圧縮機２１１の吸入管２２５が気液分離器２１４を介して第２ガス側閉鎖弁２３２側に接続された状態となる。また、第１電動膨張弁ＥＶ１は所定の開度を維持する状態とされ、第２電動膨張弁ＥＶ２は全閉状態とされる。また、第１電磁弁ＳＶ１、第３電磁弁ＳＶ３、および第５電磁弁ＳＶ５はＯＮされて開状態とされ、第２電磁弁ＳＶ２および第４電磁弁ＳＶ４はＯＦＦされて閉状態とされる（図６参照）。そして、液側閉鎖弁２３３、第１ガス側閉鎖弁２３１、および第２ガス側閉鎖弁２３２は開状態とされる。
【００９２】
この冷媒回路２０の状態で、圧縮機２１１を起動すると、ガス冷媒が、圧縮機２１１に吸入されて圧縮された後、吐出管２２６、四路切換弁２１３、および第１ＢＬ接続点ＢＣ１を経由して室外熱交換器２１２に送られ、室外熱交換器２１２の外表面に付着している霜を融解するとともに凝縮されて液冷媒となる。
そして、室外熱交換器２１２で凝縮された液冷媒は、液側閉鎖弁２３３、第１ＩＬ接続点ＩＣ１、第５電磁弁ＳＶ５、第１ＨＬ接続点ＨＣ１を経由して第１電動膨張弁ＥＶ１に送られる。第１電動膨張弁ＥＶ１に送られた液冷媒は、減圧された後に室内熱交換器２７１に供給され、室内熱交換器２７１の周囲の空気を冷却するとともに蒸発されてガス冷媒となる。なお、この際、空調室内を積極的に冷房しないように、室内ファンは駆動しないように制御される。
【００９３】
そして、そのガス冷媒は、第２ＢＬ接続点ＢＣ２、第１電磁弁ＳＶ１、第２ＨＬ接続点ＨＣ２、第２ガス側閉鎖弁２３２、四路切換弁２１３、および気液分離器２１４を経由して、再び、圧縮機２１１に吸入される。
なお、このデフロスト運転は、室外熱交換器２１２の外表面の温度や外気温などのパラメータに基づいて切り換わるようなっている。また、このデフロスト運転は、室内熱交換器２７１に霜が付着しないように、暖房運転などとの間で間欠的に行われる。
【００９４】
（７）暖房兼デフロスト運転
暖房兼デフロスト運転時は、四路切換弁２１３が図５の実線で示される状態、すなわち、圧縮機２１１の吐出管２２６が室外熱交換器２１２のガス側に接続され、かつ、圧縮機２１１の吸入管２２５が気液分離器２１４を介して第２ガス側閉鎖弁２３２側に接続された状態となる。また、第１電動膨張弁ＥＶ１は全開状態とされ、第２電動膨張弁ＥＶ２は高圧制御（以下、ＨＰ制御という）される。なお、第２電動膨張弁ＥＶ２がＨＰ制御されると、第２電動膨張弁ＥＶ２の弁開度が、圧縮機２１１の吐出圧力が所定値以上となるように調節される。また、第１電磁弁ＳＶ１および第４電磁弁ＳＶ４はＯＦＦされて閉状態とされ、第２電磁弁ＳＶ２、第３電磁弁ＳＶ３、および第５電磁弁ＳＶ５はＯＮされて開状態とされる（図６参照）。そして、液側閉鎖弁２３３、第１ガス側閉鎖弁２３１、および第２ガス側閉鎖弁２３２は開状態とされる。
【００９５】
この冷媒回路２０の状態で、圧縮機２１１を起動すると、ガス冷媒が、圧縮機２１１に吸入されて圧縮された後、吐出管２２６および四路切換弁２１３を経由して第１ＢＬ接続点ＢＣ１に至る。そして、第１ＢＬ接続点ＢＣ１に至ったガス冷媒は、その後、第１ガス側閉鎖弁２３１、第２切換機構ＯＣ２、および第２ＢＬ接続点ＢＣ２を経由して室内熱交換器２７１に向かう経路である第３経路と、室外熱交換器２１２に向かう経路である第４経路とに分配される。
【００９６】
第３経路に分配されたガス冷媒は、室内熱交換器２７１において室内空気を加熱するとともに凝縮されて液冷媒となる。この液冷媒は、第１電動膨張弁ＥＶ１を経由して第１ＨＬ接続点ＨＣ１に至る。
一方、第４経路に分配されたガス冷媒は、室外熱交換器２１２の外表面に付着している霜を融解するとともに凝縮されて液冷媒となる。この液冷媒は、液側閉鎖弁２３３、第１ＩＬ接続点ＩＣ１、および第５電磁弁ＳＶ５を経由して第１ＨＬ接続点ＨＣ１に至る。
【００９７】
そして、第１電動膨張弁ＥＶ１を経由して第１ＨＬ接続点ＨＣ１に至った液冷媒と、液側閉鎖弁２３３、第１ＩＬ接続点ＩＣ１、および第５電磁弁ＳＶ５を経由して第１ＨＬ接続点ＨＣ１に至った液冷媒とは、第１ＨＬ接続点ＨＣ１において合流した後、第２電動膨張弁ＥＶ２を経由して蓄熱用熱交換器２４１に送られ、蓄熱用熱交換器２４１において温熱を蓄積している蓄熱用水によって蒸発されてガス冷媒となる。その後、そのガス冷媒は、第２ＩＬ接続点ＩＣ２、第３電磁弁ＳＶ３、第２ＨＬ接続点ＨＣ２、第２ガス側閉鎖弁２３２、四路切換弁２１３、および気液分離器２１４を経由して、吸入管２２５に戻り、再び、圧縮機２１１に吸入される。
【００９８】
なお、この冷媒回路２０には、暖房兼デフロスト運転時において室外熱交換器２１２に液冷媒が溜まるように冷媒が充填されている。このため、他の運転時においては冷媒が余剰となるが、この余剰冷媒は、主に、気液分離器２１４に貯留される。
また、この暖房兼デフロスト運転は、室外熱交換器２１２の外表面の温度や外気温などのパラメータに基づいて切り換わるようなっている。また、このデフロスト運転は、所定時間（例えば、１０分間）継続して行われる。
【００９９】
［空気調和装置の特徴］
（１）
第２実施形態に係る空気調和装置２では、冷媒回路２０にバイパスライン２ｂが設けられており、圧縮機２１１から吐出された高温の冷媒が、室外熱交換器２１２と室内熱交換器２７１との両方に供給され、室外熱交換器２１２と室内熱交換器２７１との両方が凝縮器として機能する状態をつくり出すことができる。このため、この空気調和装置２では、室外熱交換器２１２の外表面に付着している霜を除去すると同時に暖房運転を行う暖房兼デフロスト運転を実現することができる。
【０１００】
（２）
第２実施形態に係る空気調和装置２では、冷媒回路２０に、暖房兼デフロスト運転において室外熱交換器２１２に液状冷媒が溜まるように冷媒が充填される。このため、この空気調和装置２では、暖房兼デフロスト運転において、室内熱交換器２７１へ流れる吐出冷媒の凝縮温度および凝縮圧力の低下を抑えることができ、暖房兼デフロスト運転における室内熱交換器２７１の暖房能力の低下を抑えることができる。
【０１０１】
（３）
第２実施形態に係る空気調和装置２では、暖房兼デフロスト状態において、室内熱交換器２７１から流出した冷媒と室外熱交換器２１２から流出した冷媒とが合流して蓄熱用熱交換器２４１を通って圧縮機２１１に吸入される。このため、この空気調和装置２では、暖房兼デフロスト状態において、室内熱交換器２７１から流出した冷媒と室外熱交換器２１２から流出した冷媒とを蓄熱用熱交換器２４１で一括して蒸発させることができる。したがって、この空気調和装置２では、冷媒回路２０の構成をシンプルにすることができる。
【０１０２】
（４）
第２実施形態に係る空気調和装置２では、暖房兼温蓄熱状態において、圧縮機２１１から吐出されたガス冷媒が室内熱交換器２７１と蓄熱用熱交換器２４１とに分配される。このため、この空気調和装置２では、暖房運転を行うと同時に蓄熱材に温熱を蓄積させることができる。したがって、この空気調和装置２では、室内の暖房を継続的に行うことができる。
【０１０３】
（５）
第２実施形態に係る空気調和装置２では、暖房兼温蓄熱状態において、室内熱交換器２７１から流出した冷媒と蓄熱用熱交換器２４１から流出した冷媒とが合流して室外熱交換器２１２を通って圧縮機２１１に吸入される。このため、この空気調和装置２では、暖房兼温蓄熱状態において、室内熱交換器２７１から流出した冷媒と蓄熱用熱交換器２４１から流出した冷媒とを室外熱交換器２１２で一括して蒸発させることができる。したがって、この空気調和装置２では、冷媒回路２０の構成をシンプルにすることができる。
【０１０４】
（６）
第２実施形態に係る空気調和装置２では、冷媒回路２０が、四路切換弁２１３および第１電磁弁ＳＶ１を有する。このため、この空気調和装置２では、暖房兼温蓄熱運転と暖房兼デフロスト運転との間で冷媒の流れを適切に制御することができる。
（７）
第２実施形態に係る空気調和装置２では、冷媒回路２０が、第１開閉機構ＯＣ１および第２開閉機構ＯＣ２により冷房運転にも切換可能であり、第２電磁弁ＳＶ２を有する。このため、この空気調和装置２では、暖房兼デフロスト運転と冷房運転との間で冷媒の流れを適切に制御することができる。
【０１０５】
（８）
第２実施形態に係る空気調和装置２では、気液分離器２１４が、暖房兼デフロスト運転以外の運転時に発生する余剰冷媒を貯留する。このため、空気調和装置２では、暖房兼デフロスト運転において十分な暖房能力を確保するとともに他の運転において正常な稼働を保証することができる。
【０１０６】
（９）
第２実施形態に係る空気調和装置２では、暖房兼デフロスト運転以外の運転時に発生する余剰冷媒を貯留するために気液分離器２１４が採用されている。このため、空気調和装置２では、冷媒回路２０の構成をシンプルなものとすることができる。
（１０）
第２実施形態に係る空気調和装置２では、蓄熱ユニットとして氷蓄熱ユニット２４が採用されているため、氷蓄熱運転および氷蓄熱利用冷房運転を行うことができる。このため、この空気調和装置２では、夏季など、冷房運転が必要となる環境において、電力ピークを調節することができる。
【０１０７】
［変形例］
（Ａ）
第２実施形態に係る空気調和装置２の主冷媒回路２ａに配置される第１開閉機構ＯＣ１は、第１実施形態の変形例（Ａ）に示されるように、双方向電磁弁に置換されてもかまわない。また、第３開閉機構ＯＣ３および第５開閉機構ＯＣ５についても、同様に双方向電磁弁に置換されてもかまわない。
【０１０８】
（Ｂ）
第２実施形態に係る空気調和装置２の主冷媒回路２ａに配置される第１開閉機構ＯＣ１および第２開閉機構ＯＣ２は、第１実施形態の変形例（Ｂ）に示されるように、四路切換弁およびキャピラリーチューブに置換されてもかまわない。
（Ｃ）
第２実施形態に係る空気調和装置２に代えて、図７に示されるような空気調和装置２Ａを採用しても本発明の作用効果と同様の作用効果を得ることができる。
【０１０９】
第２実施形態に係る空気調和装置２では、冷媒回路２０を構成する主冷媒回路２ａにおいて第１ＨＬ接続点ＨＣ１と第１ＩＬ接続点ＩＣ１との間に第５開閉機構ＯＣ５が配置され、冷媒回路２０を構成する利用ライン２ｄにおいて第４開閉機構ＯＣ４が配置された。これに対し、本変形例に係る空気調和装置２Ａでは、主冷媒回路２Ａａと利用ライン２ｄとの接続点に四路切換弁２４３およびキャピラリーチューブ２４４が配置される。なお、この四路切換弁２４３およびキャピラリーチューブ２４４は、氷蓄熱ユニット２４Ａに属することとなる。また、この冷媒回路２０Ａにおいて、四路切換弁２４３は、冷房運転時、氷蓄熱運転時、暖房運転時、暖房兼温蓄熱運転時、デフロスト運転時、および暖房兼デフロスト運転時には図７の実線で示される状態にされ、氷蓄熱利用冷房運転時には図７の破線で示される状態にされる。
【０１１０】
＜第３実施形態＞
［空気調和装置の構成］
本発明の一実施形態にかかる空気調和装置３Ａの概略冷媒回路３０Ａを図８に示す。
この空気調和装置３Ａは、冷房運転および暖房運転のみならずデフロスト運転、暖房兼温蓄熱運転、および暖房兼デフロスト運転も可能な空気調和装置（冬季などにおいて気温が氷点下となるような寒冷地向けの空気調和装置）であって、主冷媒回路３０ａ、バイパスライン３０ｂ、蓄熱ライン３０ｃ、およびガス抜きライン３０ｄから構成される冷媒回路３０Ａを備えている。
【０１１１】
主冷媒回路３０ａには主に、圧縮機３１１、四路切換弁３１３、室外熱交換器３１２、第１電動膨張弁ＥＶ１、室内熱交換器３７１、および第１開閉機構ＯＣ１が配備されており、各機器は、図８に示されるように、冷媒配管を介して接続されている。
バイパスライン３０ｂは、一端が四路切換弁３１３と室外熱交換器３１２のガス側とを接続する冷媒配管（以下、第１室外側冷媒ガス配管という）に、他端が第１開閉機構ＯＣ１と室内熱交換器３７１のガス側とを接続する冷媒配管（以下、室内側冷媒ガス配管という）に配管接続されることによって主冷媒回路３０ａと接続されている。なお、以下、バイパスライン３０ｂと第１室外側冷媒ガス配管との接続点を第１ＢＬ接続点ＢＣ１といい、バイパスライン３０ｂと室内側冷媒ガス配管との接続点を第２ＢＬ接続点ＢＣ２という。そして、このバイパスライン３０ｂには、第２開閉機構ＯＣ２が配備されている。
【０１１２】
蓄熱ライン３０ｃは、一端が第１電動膨張弁ＥＶ１と室内熱交換器３７１とを接続する冷媒配管（以下、室内側冷媒液配管という）に、他端が第１開閉機構ＯＣ１と四路切換弁３１３とを接続する冷媒配管（以下、第２室外側冷媒ガス配管という）に配管接続されることによって主冷媒回路３０ａと接続されている。なお、以下、蓄熱ライン３０ｃと室内側冷媒液配管との接続点を第１ＨＬ接続点ＨＣ１といい、蓄熱ライン３０ｃと第２室外側冷媒ガス配管との接続点を第２ＨＬ接続点ＨＣ２という。そして、この蓄熱ライン３０ｃには第３開閉機構ＯＣ３、蓄熱用熱交換器３４１、モジュレータ３４３、および第２電動膨張弁ＥＶ２が配備されており、各機器が第２ＨＬ接続点ＨＣ２から第１ＨＬ接続点ＨＣ１に向かって上記の順に冷媒配管を介して接続されている。
【０１１３】
ガス抜きライン３０ｄは、一端がモジュレータ３４３の上部に、他端が第３開閉機構ＯＣ３と第２ＨＬ接続点ＨＣ２とを接続する冷媒配管（以下、ガス管側バイパス配管という）に配管接続されることによって主冷媒回路３０ａおよび蓄熱ライン３０ｃと接続されている。なお、以下、ガス抜きライン３０ｄとガス管側バイパス配管との接続点をＧＬ接続点ＧＣという。そして、このガス抜きライン３０ｄには、キャピラリーチューブ３６４が配備されている。
【０１１４】
また、本実施形態では、空気調和装置３Ａは、分離型の空気調和装置であって、室内熱交換器３７１、冷媒ガス配管３８１、および冷媒液配管３８２を主に有する室内ユニット３７ａと、蓄熱用熱交換器３４１、蓄熱槽３４２、第２電動膨張弁ＥＶ２、モジュレータ３４３、キャピラリーチューブ３６４、第１開閉機構ＯＣ１、第２開閉機構ＯＣ２、第３開閉機構ＯＣ３、第１冷媒ガス配管３５１、第２冷媒ガス配管３５３、および冷媒液配管３５２を主に有する蓄熱ユニット３４Ａと、圧縮機３１１、四路切換弁３１３、室外熱交換器３１２、第１電動膨張弁ＥＶ１、第１冷媒ガス配管３２１、第２冷媒ガス配管３２３、および冷媒液配管３２２を主に有する室外ユニット３１Ａと、室内ユニット３７ａの冷媒液配管３８２と蓄熱ユニット３４Ａの冷媒液配管３５２とを接続する第１冷媒連絡配管３８７と、室内ユニット３７ａの冷媒ガス配管３８１と蓄熱ユニット３４Ａの冷媒ガス配管３５１とを接続する第２冷媒連絡配管３８６と、蓄熱ユニット３４Ａの冷媒液配管３５２と室外ユニット３１Ａの冷媒液配管３２２とを接続する第３冷媒連絡配管３３７と、蓄熱ユニット３４Ａの第１冷媒ガス配管３５１と室外ユニット３１Ａの第１冷媒ガス配管３２１とを接続する第４冷媒連絡配管３３６と、蓄熱ユニット３４Ａの第２冷媒ガス配管３５３と室外ユニット３１Ａの第２冷媒ガス配管３２３とを接続する第５冷媒連絡配管３３５とから構成されているともいえる。なお、室外ユニット３１Ａの冷媒液配管３２２と第３冷媒連絡配管３３７とは室外ユニット３１Ａの液側閉鎖弁３３３を介して、室外ユニット３１Ａの第１冷媒ガス配管３２１と第４冷媒連絡配管３３６とは室外ユニット３１Ａの第２ガス側閉鎖弁３３２を介して、室外ユニット３１Ａの第２冷媒ガス配管３２３と第５冷媒連絡配管３３５とは室外ユニット３１Ａの第１ガス側閉鎖弁３３１を介してそれぞれ接続されている。
【０１１５】
なお、このように本実施形態にかかる空気調和装置３Ａをユニット単位で見た場合、第１ＢＬ接続点ＢＣ１は室外ユニット３１Ａに属し、第２ＢＬ接続点ＢＣ２、第１ＨＬ接続点ＨＣ１、第２ＨＬ接続点ＨＣ２、ＧＬ接続点ＧＣは蓄熱ユニット３４Ａに属する。
（１）室内ユニット
室内ユニット３７ａは、主に、室内熱交換器３７１、室内ファン（図示せず）、冷媒ガス配管３８１、および冷媒液配管３８２を有している。
【０１１６】
室内熱交換器３７１は、空調室内の空気である室内空気と冷媒との間で熱交換をさせるための熱交換器である。
室内ファンは、ユニット３７ａ内に空調室内の空気を取り込み、室内熱交換器３７１を介して冷媒と熱交換した後の空気である調和空気を再び空調室内への送り出すためファンである。
【０１１７】
そして、この室内ユニット３７ａは、このような構成を採用することによって、冷房運転時には室内ファンにより内部に取り込んだ室内空気と室内熱交換器３７１を流れる液冷媒とを熱交換させて調和空気（冷気）を生成し、暖房運転時、暖房兼温蓄熱運転時、および暖房兼デフロスト運転時には室内ファンにより内部に取り込んだ室内空気と室内熱交換器３７１を流れるガス冷媒とを熱交換させて調和空気（暖気）を生成することが可能となっている。
【０１１８】
（２）蓄熱ユニット
蓄熱ユニット３４Ａは、主に、蓄熱用熱交換器３４１、蓄熱槽３４２、第２電動膨張弁ＥＶ２、モジュレータ３４３、キャピラリーチューブ３６４、第１開閉機構ＯＣ１、第２開閉機構ＯＣ２、第３開閉機構ＯＣ３、第１冷媒ガス配管３５１、第２冷媒ガス配管３５３、および冷媒液配管３５２を有している。
【０１１９】
蓄熱用熱交換器３４１は、蓄熱槽３４２に蓄えられている蓄熱材（例えば、ポリエチレングリコール、トレイトール、パラフィン、酢酸ナトリウム３水和物、硫酸ナトリウム１０水和物など）と冷媒との間で熱交換をさせるための熱交換器である。
モジュレータ３４３は、余剰冷媒を貯留するための器である。この冷媒回路３０Ａには、暖房兼デフロスト運転時において室外熱交換器３１２に液冷媒が溜まるように冷媒が充填されている。このため、他の運転時においては冷媒が余剰となる。この余剰冷媒を貯留するのが本モジュレータ３４３の役目である。
【０１２０】
第１開閉機構ＯＣ１は、開閉可能な第１電磁弁ＳＶ１および第１逆止弁３６１を有している。この第１開閉機構ＯＣ１では、第１電磁弁ＳＶ１と第１逆止弁３６１とが冷媒流れに対して並列に配置される。また、この第１逆止弁３６１は、各ユニット３１ａ，３４Ａ，３７ａが接続された状態において第２ガス側閉鎖弁３３２から第２ＢＬ接続点ＢＣ２に向かう冷媒の流れのみを許容するように取り付けられている。
【０１２１】
第２開閉機構ＯＣ２は、開閉可能な第２電磁弁ＳＶ２および第２逆止弁３６２を有している。この第２開閉機構ＯＣ２では、第２電磁弁ＳＶ２と第２逆止弁３６２とが冷媒流れに対して直列に配置される。なお、この際、第２電磁弁ＳＶ２は第１ＢＬ接続点ＢＣ１側に、第２逆止弁３６２は第２ＢＬ接続点ＢＣ２側に配置される。また、この第２逆止弁３６２は、各ユニット３１ａ，３４Ａ，３７ａが接続された状態において第１ガス側閉鎖弁３３１から第２ＢＬ接続点ＢＣ２に向かう冷媒の流れのみを許容するように取り付けられている。
【０１２２】
第３開閉機構ＯＣ３は、開閉可能な第３電磁弁ＳＶ３および第３逆止弁３６３を有している。この第３開閉機構ＯＣ３では、第３電磁弁ＳＶ３と第３逆止弁３６３とが冷媒流れに対して並列に配置される。また、この第３逆止弁３６３は、ＧＬ接続点ＧＣから蓄熱用
熱交換器３４１に向かう冷媒の流れのみを許容するように取り付けられている。
そして、この蓄熱ユニット３４Ａは、このような構成を採用することによって、暖房兼温蓄熱運転時には蓄熱用熱交換器３４１を流れるガス冷媒の温熱を蓄熱材に蓄積させ、また、暖房兼デフロスト運転時には蓄熱用熱交換器３４１を流れる液冷媒に蓄熱材に蓄積される温熱を供給することによってその液冷媒を蒸発させることが可能となっている。なお、この蓄熱材は、融点がおよそ３０℃から４０℃であり、潜熱として温熱を蓄積することが可能となっている。
【０１２３】
（３）室外ユニット
室外ユニット３１Ａは、主に、四路切換弁３１３、圧縮機３１１、室外熱交換器３１２、第１電動膨張弁ＥＶ１、第１冷媒ガス配管３２１、第２冷媒ガス配管３２３、および冷媒液配管３２２を有している。
圧縮機３１１は、吸入管３２５を流れる低圧のガス冷媒を吸入して圧縮した後、吐出管３２６に吐出するための機器である。本実施形態において、圧縮機３１１は、スクロール式やロータリ式等の容積式の圧縮機である。
【０１２４】
四路切換弁３１３は、各運転に対応して、冷媒の流れ方向を切り換えるための弁であり、冷房運転時、デフロスト運転時、および暖房兼デフロスト運転時には圧縮機３１１の吐出管３２６と室外熱交換器３１２のガス側とを接続するとともに圧縮機３１１の吸入管３２５と第２ガス側閉鎖弁３３２とを接続し、暖房運転時および暖房兼温蓄熱運転時には圧縮機３１１の吐出管３２６と第２ガス側閉鎖弁３３２とを接続するとともに圧縮機３１１の吸入管３２５と室外熱交換器３１２のガス側とを接続することが可能である。
【０１２５】
室外熱交換器３１２は、冷房運転時において、圧縮機３１１から吐出された高圧のガス冷媒を空調室外の空気を熱源として凝縮させることが可能であり、暖房運転時には室内熱交換器３７１から戻る液冷媒を、暖房兼温蓄熱運転時には室内熱交換器３７１および蓄熱用熱交換器３４１から戻る液冷媒を蒸発させることが可能である。
［空気調和装置の動作］
空気調和装置３Ａの運転動作について、図８および図９を用いて説明する。この空気調和装置３Ａは、上述したように冷房運転、暖房運転、暖房兼温蓄熱運転、デフロスト運転、および暖房兼デフロスト運転を行うことが可能である。
【０１２６】
（１）冷房運転
冷房運転時は、四路切換弁３１３が図８の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１は過熱度制御（以下、ＳＨ制御という）され、第２電動膨張弁ＥＶ２は全開状態とされる。なお、第１電動膨張弁ＥＶ１がＳＨ制御されると、第１電動膨張弁ＥＶ１の弁開度が、室内熱交換器３７１のガス側における冷媒の温度から室内熱交換器３７１の液側における冷媒の温度を引いた差分が一定の正の値（例えば、＋５℃）となるように調節される。また、第１電磁弁ＳＶ１はＯＮされて開状態とされ、第２電磁弁ＳＶ２および第３電磁弁ＳＶ３はＯＦＦされて閉状態とされる（図９参照）。そして、液側閉鎖弁３３３、第１ガス側閉鎖弁３３１、および第２ガス側閉鎖弁３３２は開状態とされる。
【０１２７】
この冷媒回路３０Ａの状態で、圧縮機３１１を起動すると、ガス冷媒が、圧縮機３１１に吸入されて圧縮された後、吐出管３２６、四路切換弁３１３、および第１ＢＬ接続点ＢＣ１を経由して室外熱交換器３１２に送られ、室外熱交換器３１２において凝縮されて液冷媒となる。
そして、この液冷媒は、第１電動膨張弁ＥＶ１に送られる。第１電動膨張弁ＥＶ１に送られた液冷媒は、減圧された後に液側閉鎖弁３３３および第１ＨＬ接続点ＨＣ１を経由して室内熱交換器３７１に供給され、室内空気を冷却するとともに蒸発されてガス冷媒となる。そのガス冷媒は、第２ＢＬ接続点ＢＣ２、第１電磁弁ＳＶ１、第２ＨＬ接続点ＨＣ２、第２ガス側閉鎖弁３３２、および四路切換弁３１３を経由して、再び、圧縮機３１１に吸入される。このようにして、冷房運転が行われる。
【０１２８】
（２）暖房運転
暖房運転時は、四路切換弁３１３が図８の破線で示される状態、すなわち、圧縮機３１１の吐出側が第２ガス側閉鎖弁３３２に接続され、かつ、圧縮機３１１の吸入側が室外熱交換器３１２のガス側に接続された状態となっている。また、第１電動膨張弁ＥＶ１はＳＨ制御され、第２電動膨張弁ＥＶ２は全閉状態とされる。なお、第１電動膨張弁ＥＶ１がＳＨ制御されると、第１電動膨張弁ＥＶ１の弁開度が、室外熱交換器３１２のガス側における冷媒の温度から室外熱交換器３１２の液側における冷媒の温度を引いた差分が一定の正の値（例えば、＋５℃）となるように調節される。また、第１電磁弁ＳＶ１、第２電磁弁ＳＶ２、および第３電磁弁ＳＶ３は、ＯＦＦされて閉状態とされる（図９参照）。そして、液側閉鎖弁３３３、第１ガス側閉鎖弁３３１、および第２ガス側閉鎖弁３３２は開状態とされる。
【０１２９】
この冷媒回路３０Ａの状態で、圧縮機３１１を起動すると、ガス冷媒が、圧縮機３１１に吸入されて圧縮された後、吐出管３２６、四路切換弁３１３、第２ガス側閉鎖弁３３２、第２ＨＬ接続点ＨＣ２、第１逆止弁３６１、および第２ＢＬ接続点ＢＣ２を経由して、室内熱交換器３７１に供給され、室内熱交換器３７１において室内空気を加熱するとともに凝縮されて液冷媒となる。この液冷媒は、第１ＨＬ接続点ＨＣ１および液側閉鎖弁３３３を経由して第１電動膨張弁ＥＶ１に送られる。第１電動膨張弁ＥＶ１に送られた液冷媒は、減圧された後に室外熱交換器３１２に送られ、室外熱交換器３１２において蒸発されてガス冷媒となる。そのガス冷媒は、第１ＢＬ接続点ＢＣ１および四路切換弁３１３を経由して、吸入管３２５に戻り、再び、圧縮機３１１に吸入される。このようにして、暖房運転が行われる。
【０１３０】
（３）暖房兼温蓄熱運転
暖房兼温蓄熱運転時は、四路切換弁３１３が図８の破線で示される状態、すなわち、圧縮機３１１の吐出側が第２ガス側閉鎖弁３３２に接続され、かつ、圧縮機３１１の吸入側が室外熱交換器３１２のガス側に接続された状態となっている。また、第１電動膨張弁ＥＶ１はＳＨ制御され、第２電動膨張弁ＥＶ２は所定の開度を維持する状態とされる。なお、第１電動膨張弁ＥＶ１がＳＨ制御されると、第１電動膨張弁ＥＶ１の弁開度が、室外熱交換器３１２のガス側における冷媒の温度から室外熱交換器３１２の液側における冷媒の温度を引いた差分が一定の正の値（例えば、＋５℃）となるように調節される。また、第１電磁弁ＳＶ１、第２電磁弁ＳＶ２、および第３電磁弁ＳＶ３は、ＯＦＦされて閉状態とされる（図９参照）。そして、液側閉鎖弁３３３、第１ガス側閉鎖弁３３１、および第２ガス側閉鎖弁３３２は開状態とされる。
【０１３１】
この冷媒回路３０Ａの状態で、圧縮機３１１を起動すると、ガス冷媒が、圧縮機３１１に吸入されて圧縮された後、吐出管３２６、四路切換弁３１３、および第２ガス側閉鎖弁３３２を経由して第２ＨＬ接続点ＨＣ２に至る。そして、第２ＨＬ接続点ＨＣ２に至ったガス冷媒は、その後、第１逆止弁３６１および第２ＢＬ接続点ＢＣ２を経由して室内熱交換器３７１に向かう経路である第１経路と、ＧＣ接続点ＧＣおよび第３逆止弁３６３を経由して蓄熱用熱交換器３４１に向かう経路である第２経路とに分配される。
【０１３２】
第１経路に分配されたガス冷媒は、室内熱交換器３７１において室内空気を加熱するとともに凝縮されて液冷媒となり、第１ＨＬ接続点ＨＣ１に至る。
一方、第２経路に分配されたガス冷媒は、蓄熱用熱交換器３４１において蓄熱材を加熱するとともに凝縮されて液冷媒となる。この際、蓄熱材は、固相から液相に相転移し、ガス冷媒から供給される温熱を主に潜熱として蓄積する。その後、その液冷媒は、モジュレータ３４３を経由して第２電動膨張弁ＥＶ２に送られる。第２電動膨張弁ＥＶ２に送られた液冷媒は、減圧された後に第１ＨＬ接続点ＨＣ１に送られる。
【０１３３】
そして、室内熱交換器３７１から第１ＨＬ接続点ＨＣ１に至った液冷媒と、第２電動膨張弁ＥＶ２を経由して第１ＨＬ接続点ＨＣ１に至った液冷媒とは、第１ＨＬ接続点において合流した後、液側閉鎖弁３３３を経由して第１電動膨張弁ＥＶ１に送られる。第１電動膨張弁ＥＶ１に送られた液冷媒は、減圧された後に室外熱交換器３１２に送られ、室外熱交換器３１２において蒸発されてガス冷媒となる。このガス冷媒は、第１ＢＬ接続点ＢＣ１、四路切換弁３１３を経由して、吸入管３２５に戻り、再び、圧縮機３１１に吸入される。
【０１３４】
なお、この暖房兼温蓄熱運転は、主に、空気調和装置３Ａの起動時に行われ、蓄熱槽３４２に設けられている蓄熱材の温度検出用の温度センサの値が所定の閾値以上になると自動的に暖房運転に切り換わるようになっている。
（４）デフロスト運転
デフロスト運転時は、四路切換弁３１３が図８の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１および第２電動膨張弁ＥＶ２は所定の開度を維持する状態とされる。また、第１電磁弁ＳＶ１はＯＮされて開状態とされ、第２電磁弁ＳＶ２および第３電磁弁ＳＶ３はＯＦＦされて閉状態とされる（図９参照）。そして、液側閉鎖弁３３３、第１ガス側閉鎖弁３３１、および第２ガス側閉鎖弁３３２は開状態とされる。
【０１３５】
この冷媒回路３０Ａの状態で、圧縮機３１１を起動すると、ガス冷媒が、圧縮機３１１に吸入されて圧縮された後、吐出管３２６、四路切換弁３１３、および第１ＢＬ接続点ＢＣ１を経由して室外熱交換器３１２に送られ、室外熱交換器３１２の外表面に付着している霜を融解するとともに凝縮されて液冷媒となる。
そして、室外熱交換器３１２で凝縮された液冷媒は、第１電動膨張弁ＥＶ１に送られる。第１電動膨張弁ＥＶ１に送られた液冷媒は、減圧された後に液側閉鎖弁３３３および第１ＨＬ接続点ＨＣ１を経由して室内熱交換器３７１に供給され、室内熱交換器３７１の周囲の空気を冷却するとともに蒸発されてガス冷媒となる。なお、この際、空調室内を積極的に冷房しないように、室内ファンは駆動しないように制御される。
【０１３６】
そして、そのガス冷媒は、第２ＢＬ接続点ＢＣ２、第１電磁弁ＳＶ１、第２ＨＬ接続点ＨＣ２、第２ガス側閉鎖弁３３２、および四路切換弁３１３を経由して、再び、圧縮機３１１に吸入される。
なお、このデフロスト運転は、室外熱交換器３１２の外表面の温度や外気温などのパラメータに基づいて切り換わるようなっている。また、このデフロスト運転は、室内熱交換器３７１に霜が付着しないように、暖房運転などとの間で間欠的に行われる。
【０１３７】
（５）暖房兼デフロスト運転
暖房兼デフロスト運転時は、四路切換弁３１３が図８の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１は所定の開度を維持する状態とされ、第２電動膨張弁ＥＶ２はＳＨ制御される。なお、第２電動膨張弁ＥＶ２がＳＨ制御されると、第２電動膨張弁ＥＶ２の弁開度が、蓄熱用熱交換器３４１のガス側における冷媒の温度から蓄熱用熱交換器３４１の液側における冷媒の温度を引いた差分が一定の正の値（例えば、＋５℃）となるように調節される。また、第１電磁弁ＳＶ１はＯＦＦされて閉状態とされ、第２電磁弁ＳＶ２および第３電磁弁ＳＶ３はＯＮされて開状態とされる（図９参照）。そして、液側閉鎖弁３３３、第１ガス側閉鎖弁３３１、および第２ガス側閉鎖弁３３２は開状態とされる。
【０１３８】
この冷媒回路３０Ａの状態で、圧縮機３１１を起動すると、ガス冷媒が、圧縮機３１１に吸入されて圧縮された後、吐出管３２６および四路切換弁３１３を経由して第１ＢＬ接続点ＢＣ１に至る。そして、第１ＢＬ接続点ＢＣ１に至ったガス冷媒は、その後、第１ガス側閉鎖弁３３１、第２切換機構ＯＣ２、および第２ＢＬ接続点ＢＣ２を経由して室内熱交換器３７１に向かう経路である第３経路と、室外熱交換器３１２に向かう経路である第４経路とに分配される。
【０１３９】
第３経路に分配されたガス冷媒は、室内熱交換器３７１において室内空気を加熱するとともに凝縮されて液冷媒となり、第１ＨＬ接続点ＨＣ１に至る。
一方、第４経路に分配されたガス冷媒は、室外熱交換器３１２の外表面に付着している霜を融解するとともに凝縮されて液冷媒となり、第１電動膨張弁ＥＶ１に送られる。第１電動膨張弁ＥＶ１に送られた液冷媒は、減圧された後に液側閉鎖弁３３３を経由して第１ＨＬ接続点ＨＣ１に至る。
【０１４０】
そして、室内熱交換器３７１から第１ＨＬ接続点ＨＣ１に至った液冷媒と、第１電動膨張弁ＥＶ１を経由して第１ＨＬ接続点ＨＣ１に至った液冷媒とは、第１ＨＬ接続点ＨＣ１において合流した後、第２電動膨張弁ＥＶ２に送られる。第２電動膨張弁ＥＶ２に送られた液冷媒は、減圧された後にモジュレータ３４３を経由して蓄熱用熱交換器３４１に送られ、蓄熱用熱交換器３４１において温熱を蓄積している蓄熱材によって蒸発されてガス冷媒となる。その後、そのガス冷媒は、第３電磁弁ＳＶ３、ＧＬ接続点ＧＣ、第２ＨＬ接続点ＨＣ２、第２ガス側閉鎖弁３３２、および四路切換弁３１３を経由して、吸入管３２５に戻り、再び、圧縮機３１１に吸入される。
【０１４１】
なお、この暖房兼デフロスト運転は、室外熱交換器３１２の外表面の温度や外気温などのパラメータに基づいて切り換わるようなっている。また、このデフロスト運転は、所定時間（例えば、１０分間）継続して行われる。
［空気調和装置の特徴］
（１）
第３実施形態に係る空気調和装置３Ａでは、冷媒回路３０Ａにバイパスライン３０ｂが設けられており、圧縮機３１１から吐出された高温の冷媒が、室外熱交換器３１２と室内熱交換器３７１との両方に供給され、室外熱交換器３１２と室内熱交換器３７１との両方が凝縮器として機能する状態をつくり出すことができる。このため、この空気調和装置３Ａでは、室外熱交換器３１２の外表面に付着している霜を除去すると同時に暖房運転を行う暖房兼デフロスト運転を実現することができる。
【０１４２】
（２）
第３実施形態に係る空気調和装置３Ａでは、冷媒回路３０Ａに、暖房兼デフロスト運転において室外熱交換器３１２に液状冷媒が溜まるように冷媒が充填される。このため、この空気調和装置３Ａでは、暖房兼デフロスト運転において、室内熱交換器３７１へ流れる吐出冷媒の凝縮温度および凝縮圧力の低下を抑えることができ、暖房兼デフロスト運転における室内熱交換器３７１の暖房能力の低下を抑えることができる。
【０１４３】
（３）
第３実施形態に係る空気調和装置３Ａでは、暖房兼デフロスト状態において、室内熱交換器３７１から流出した冷媒と室外熱交換器３１２から流出した冷媒とが合流して蓄熱用熱交換器３４１を通って圧縮機３１１に吸入される。このため、この空気調和装置３Ａでは、暖房兼デフロスト状態において、室内熱交換器３７１から流出した冷媒と室外熱交換器３１２から流出した冷媒とを蓄熱用熱交換器３４１で一括して蒸発させることができる。したがって、この空気調和装置３Ａでは、冷媒回路３０Ａの構成をシンプルにすることができる。
【０１４４】
（４）
第３実施形態に係る空気調和装置３Ａでは、暖房兼温蓄熱状態において、圧縮機３１１から吐出されたガス冷媒が室内熱交換器３７１と蓄熱用熱交換器３４１とに分配される。このため、この空気調和装置３Ａでは、暖房運転を行うと同時に蓄熱材に温熱を蓄積させることができる。したがって、この空気調和装置３Ａでは、室内の暖房を継続的に行うことができる。
【０１４５】
（５）
第３実施形態に係る空気調和装置３Ａでは、暖房兼温蓄熱状態において、室内熱交換器３７１から流出した冷媒と蓄熱用熱交換器３４１から流出した冷媒とが合流して室外熱交換器３１２を通って圧縮機３１１に吸入される。このため、この空気調和装置３Ａでは、暖房兼温蓄熱状態において、室内熱交換器３７１から流出した冷媒と蓄熱用熱交換器３４１から流出した冷媒とを室外熱交換器３１２で一括して蒸発させることができる。したがって、この空気調和装置３Ａでは、冷媒回路３０Ａの構成をシンプルにすることができる。
【０１４６】
（６）
第３実施形態に係る空気調和装置３Ａでは、冷媒回路３０Ａが、四路切換弁３１３および第電磁弁ＳＶ１を有する。このため、この空気調和装置３Ａでは、暖房兼温蓄熱運転と暖房兼デフロスト運転との間で冷媒の流れを適切に制御することができる。
（７）
第３実施形態に係る空気調和装置３Ａでは、冷媒回路３０Ａが、第１開閉機構ＯＣ１および第２開閉機構ＯＣ２により冷房運転にも切換可能であり、第２電磁弁ＳＶ２を有する。このため、この空気調和装置３Ａでは、暖房兼デフロスト運転と冷房運転との間で冷媒の流れを適切に制御することができる。
【０１４７】
（８）
第３実施形態に係る空気調和装置３Ａでは、モジュレータ３４３が、暖房兼デフロスト運転以外の運転時に発生する余剰冷媒を貯留する。このため、空気調和装置３Ａでは、暖房兼デフロスト運転において十分な暖房能力を確保するとともに他の運転において正常な稼働を保証することができる。
【０１４８】
（９）
第３実施形態に係る空気調和装置３Ａでは、暖房兼デフロスト運転以外の運転時に発生する余剰冷媒を貯留するためにモジュレータ３４３が採用されている。このため、空気調和装置３Ａでは、余剰冷媒を主冷媒回路３０ａから完全に排除することができる。したがって、この空気調和装置３は、主冷媒回路３０ａに冷媒が主に流れる冷房運転や暖房運転において適切な稼働を行うことができる。
【０１４９】
［変形例］
（Ａ）
第３実施形態に係る空気調和装置３Ａの主冷媒回路３０ａに配置される第１開閉機構ＯＣ１は、第１実施形態の変形例（Ａ）に示されるように、双方向電磁弁に置換されてもかまわない。
【０１５０】
（Ｂ）
第３実施形態に係る空気調和装置３Ａの主冷媒回路３０ａに配置される第１開閉機構ＯＣ１および第２開閉機構ＯＣ２は、第１実施形態の変形例（Ｂ）に示されるように、四路切換弁およびキャピラリーチューブに置換されてもかまわない。
＜第４実施形態＞
［空気調和装置の構成］
本発明の一実施形態にかかる空気調和装置４の概略冷媒回路４０を図１０に示す。
【０１５１】
この空気調和装置４は、冷房運転および暖房運転のみならず氷蓄熱運転、氷蓄熱利用冷房運転、デフロスト運転、暖房兼温蓄熱運転、および暖房兼デフロスト運転も可能な空気調和装置（冬季などにおいて気温が氷点下となるような寒冷地向けの空気調和装置）であって、主冷媒回路４ａ、バイパスライン４ｂ、蓄熱ライン４ｃ、利用ライン４ｄ、およびガス抜きライン４ｅから構成される冷媒回路４０を備えている。
【０１５２】
主冷媒回路４ａには主に、圧縮機４１１、四路切換弁４１３、室外熱交換器４１２、第１電動膨張弁ＥＶ１、第５開閉機構ＯＣ５、室内熱交換器４７１、および第１開閉機構ＯＣ１が配備されており、各機器は、図１０に示されるように、冷媒配管を介して接続されている。
バイパスライン４ｂは、一端が四路切換弁４１３と室外熱交換器４１２のガス側とを接続する冷媒配管（以下、第１室外側冷媒ガス配管という）に、他端が第１開閉機構ＯＣ１と室内熱交換器４７１のガス側とを接続する冷媒配管（以下、室内側冷媒ガス配管という）に配管接続されることによって主冷媒回路４ａと接続されている。なお、以下、バイパスライン４ｂと第１室外側冷媒ガス配管との接続点を第１ＢＬ接続点ＢＣ１といい、バイパスライン４ｂと室内側冷媒ガス配管との接続点を第２ＢＬ接続点ＢＣ２という。そして、このバイパスライン４ｂには、第２開閉機構ＯＣ２が配備されている。
【０１５３】
蓄熱ライン４ｃは、一端が室内熱交換器４７１の液側と第５開閉機構ＯＣ５とを接続する冷媒配管（以下、室内側冷媒液配管という）に、他端が第１開閉機構ＯＣ１と四路切換弁４１３とを接続する冷媒配管（以下、第２室外側冷媒ガス配管という）に配管接続されることによって主冷媒回路４ａと接続されている。なお、以下、蓄熱ライン４ｃと室内側冷媒液配管との接続点を第１ＨＬ接続点ＨＣ１といい、蓄熱ライン４ｃと第２室外側冷媒ガス配管との接続点を第２ＨＬ接続点ＨＣ２という。そして、この蓄熱ライン４ｃには第３開閉機構ＯＣ３、蓄熱用熱交換器４４１、モジュレータ４４３、および第２電動膨張弁ＥＶ２が配備されており、各機器が第２ＨＬ接続点ＨＣ２から第１ＨＬ接続点ＨＣ１に向かって上記の順に冷媒配管を介して接続されている。
【０１５４】
利用ライン４ｄは、一端が第１電動膨張弁ＥＶ１と第５開閉機構ＯＣ５とを接続する冷媒配管（以下、室外側冷媒液配管という）に、他端が第３開閉機構ＯＣ３と蓄熱用熱交換器４４１とを接続する冷媒配管（以下、第１ガス管側バイパス配管という）に配管接続されることによって主冷媒回路４ａおよび蓄熱ライン４ｃと接続されている。なお、以下、利用ライン４ｄと室外側冷媒液配管との接続点を第１ＩＬ接続点ＩＣ１といい、利用ライン４ｄと第１ガス管側バイパス配管との接続点を第２ＩＬ接続点ＩＣ２という。そして、この利用ライン４ｄには、第４開閉機構ＯＣ４が配備されている。
【０１５５】
ガス抜きライン４ｅは、一端がモジュレータ４４３の上部に、他端が第３開閉機構ＯＣ３と第２ＨＬ接続点ＨＣ２とを接続する冷媒配管（以下、第２ガス管側バイパス配管という）に配管接続されることによって主冷媒回路４ａおよび蓄熱ライン４ｃと接続されている。なお、以下、ガス抜きライン４ｅと第２ガス管側バイパス配管との接続点をＧＬ接続点ＧＣという。そして、このガス抜きライン４ｅには、キャピラリーチューブ４６４が配備されている。
【０１５６】
また、本実施形態では、空気調和装置４は、分離型の空気調和装置であって、室内熱交換器４７１、冷媒ガス配管４８１、および冷媒液配管４８２を主に有する室内ユニット４７と、蓄熱用熱交換器４４１、蓄熱水槽４４２、第２電動膨張弁ＥＶ２、モジュレータ４４３、キャピラリーチューブ４６４、第１開閉機構ＯＣ１、第２開閉機構ＯＣ２、第３開閉機構ＯＣ３、第４開閉機構ＯＣ４、第５開閉機構ＯＣ５、第１冷媒ガス配管４５１、第２冷媒ガス配管４５３、および冷媒液配管４５２を主に有する氷蓄熱ユニット４４と、圧縮機４１１、四路切換弁４１３、室外熱交換器４１２、第１電動膨張弁ＥＶ１、第１冷媒ガス配管４２１、第２冷媒ガス配管４２３、および冷媒液配管４２２を主に有する室外ユニット４１と、室内ユニット４７の冷媒液配管４８２と氷蓄熱ユニット４４の冷媒液配管４５２とを接続する第１冷媒連絡配管４８７と、室内ユニット４７の冷媒ガス配管４８１と氷蓄熱ユニット４４の冷媒ガス配管４５１とを接続する第２冷媒連絡配管４８６と、氷蓄熱ユニット４４の冷媒液配管４５２と室外ユニット４１の冷媒液配管４２２とを接続する第３冷媒連絡配管４３７と、氷蓄熱ユニット４４の第１冷媒ガス配管４５１と室外ユニット４１の第１冷媒ガス配管４２１とを接続する第４冷媒連絡配管４３６と、氷蓄熱ユニット４４の第２冷媒ガス配管４５３と室外ユニット４１の第２冷媒ガス配管４２３とを接続する第５冷媒連絡配管４３５とから構成されているともいえる。なお、室外ユニット４１の冷媒液配管４２２と第３冷媒連絡配管４３７とは室外ユニット４１の液側閉鎖弁４３３を介して、室外ユニット４１の第１冷媒ガス配管４２１と第４冷媒連絡配管４３６とは室外ユニット４１の第２ガス側閉鎖弁４３２を介して、室外ユニット４１の第２冷媒ガス配管４２３と第５冷媒連絡配管４３５とは室外ユニット４１の第１ガス側閉鎖弁４３１を介してそれぞれ接続されている。
【０１５７】
なお、このように本実施形態にかかる空気調和装置４をユニット単位で見た場合、第１ＢＬ接続点ＢＣ１は室外ユニット４１に属し、第２ＢＬ接続点ＢＣ２、第１ＨＬ接続点ＨＣ１、第２ＨＬ接続点ＨＣ２、第１ＩＬ接続点ＩＣ１、第２ＩＬ接続点ＩＣ２、ＧＬ接続点ＧＣは氷蓄熱ユニット４４に属する。
（１）室内ユニット
室内ユニット４７は、主に、室内熱交換器４７１、室内ファン（図示せず）、冷媒ガス配管４８１、および冷媒液配管４８２を有している。
【０１５８】
室内熱交換器４７１は、空調室内の空気である室内空気と冷媒との間で熱交換をさせるための熱交換器である。
室内ファンは、ユニット４７内に空調室内の空気を取り込み、室内熱交換器４７１を介して冷媒と熱交換した後の空気である調和空気を再び空調室内への送り出すためファンである。
【０１５９】
そして、この室内ユニット４７は、このような構成を採用することによって、冷房運転時および氷蓄熱利用冷房運転時には室内ファンにより内部に取り込んだ室内空気と室内熱交換器４７１を流れる液冷媒とを熱交換させて調和空気（冷気）を生成し、暖房運転時、暖房兼温蓄熱運転時、および暖房兼デフロスト運転時には室内ファンにより内部に取り込んだ室内空気と室内熱交換器４７１を流れるガス冷媒とを熱交換させて調和空気（暖気）を生成することが可能となっている。
【０１６０】
（２）氷蓄熱ユニット
氷蓄熱ユニット４４は、主に、蓄熱用熱交換器４４１、蓄熱水槽４４２、第２電動膨張弁ＥＶ２、モジュレータ４４３、キャピラリーチューブ４６４、第１開閉機構ＯＣ１、第２開閉機構ＯＣ２、第３開閉機構ＯＣ３、第４開閉機構ＯＣ４、第５開閉機構ＯＣ５、第１冷媒ガス配管４５１、第２冷媒ガス配管４５３、および冷媒液配管４５２を有している。
【０１６１】
蓄熱用熱交換器４４１は、蓄熱水槽４４２に蓄えられている蓄熱用水と冷媒との間で熱交換をさせるための熱交換器である。
モジュレータ４４３は、余剰冷媒を貯留するための器である。この冷媒回路４０には、暖房兼デフロスト運転時において室外熱交換器４１２に液冷媒が溜まるように冷媒が充填されている。このため、他の運転時においては冷媒が余剰となる。この余剰冷媒を貯留するのが本モジュレータ４４３の役目である。
【０１６２】
第１開閉機構ＯＣ１は、開閉可能な第１電磁弁ＳＶ１および第１逆止弁４６１を有している。この第１開閉機構ＯＣ１では、第１電磁弁ＳＶ１と第１逆止弁４６１とが冷媒流れに対して並列に配置される。また、この第１逆止弁４６１は、各ユニット４１，４４，４７が接続された状態において第２ガス側閉鎖弁４３２から第２ＢＬ接続点ＢＣ２に向かう冷媒の流れのみを許容するように取り付けられている。
【０１６３】
第２開閉機構ＯＣ２は、開閉可能な第２電磁弁ＳＶ２および第２逆止弁４６２を有している。この第２開閉機構ＯＣ２では、第２電磁弁ＳＶ２と第２逆止弁４６２とが冷媒流れに対して直列に配置される。なお、この際、第２電磁弁ＳＶ２は第１ＢＬ接続点ＢＣ１側に、第２逆止弁４６２は第２ＢＬ接続点ＢＣ２側に配置される。また、この第２逆止弁４６２は、各ユニット４１，４４，４７が接続された状態において第１ガス側閉鎖弁４３１から第２ＢＬ接続点ＢＣ２に向かう冷媒の流れのみを許容するように取り付けられている。
【０１６４】
第３開閉機構ＯＣ３は、開閉可能な第３電磁弁ＳＶ３および第３逆止弁４６３を有している。この第３開閉機構ＯＣ３では、第３電磁弁ＳＶ３と第３逆止弁４６３とが冷媒流れに対して並列に配置される。また、この第３逆止弁４６３は、ＧＬ接続点ＧＣから蓄熱用
熱交換器４４１に向かう冷媒の流れのみを許容するように取り付けられている。
第４開閉機構ＯＣ４は、開閉可能な第４電磁弁ＳＶ４および第４逆止弁４６４を有している。この第４開閉機構ＯＣ４では、第４電磁弁ＳＶ４と第４逆止弁４６４とが冷媒流れに対して直列に配置される。なお、この際、第４電磁弁ＳＶ４は第１ＩＬ接続点ＩＣ１側に、第４逆止弁４６４は第２ＩＬ接続点ＩＣ２側に配置される。また、この第４逆止弁４６４は、第１ＩＬ接続点ＩＣ１から第２ＩＬ接続点ＩＣ２に向かう冷媒の流れのみを許容するように取り付けられている。
【０１６５】
第５開閉機構ＯＣ５は、開閉可能な第５電磁弁ＳＶ５および第５逆止弁４６５を有している。この第５開閉機構ＯＣ５では、第５電磁弁ＳＶ５と第５逆止弁４６５とが冷媒流れに対して並列に配置される。また、この第５逆止弁４６５は、第１ＨＬ接続点ＨＣ１から第１ＩＬ接続点ＩＣ１に向かう冷媒の流れのみを許容するように取り付けられている。
そして、この氷蓄熱ユニット４４は、このような構成を採用することによって、氷蓄熱運転時には蓄熱用熱交換器４４１を流れる液冷媒の冷熱を蓄熱用水に蓄積させ、氷蓄熱利用運転時には蓄熱用熱交換器４４１を流れるガス状または気液二相状態の冷媒にその冷熱を供給することによってそのガス状または気液二相状態の冷媒を凝縮させ、暖房兼温蓄熱運転時には蓄熱用熱交換器４４１を流れるガス冷媒の温熱を蓄熱用水に蓄積させ、また、暖房兼デフロスト運転時には蓄熱用熱交換器４４１を流れる液冷媒に蓄熱用水に蓄積される温熱を供給することによってその液冷媒を蒸発させることが可能となっている。なお、この蓄熱用水は、氷蓄熱運転時には液相から固相に相転移して液冷媒から供給される冷熱を主に潜熱として蓄積し、暖房兼温蓄熱運転時にはガス冷媒から供給される温熱を顕熱として蓄積する。
【０１６６】
（３）室外ユニット
室外ユニット４１は、主に、四路切換弁４１３、圧縮機４１１、室外熱交換器４１２、第１電動膨張弁ＥＶ１、第１冷媒ガス配管４２１、第２冷媒ガス配管４２３、および冷媒液配管４２２を有している。
圧縮機４１１は、吸入管４２５を流れる低圧のガス冷媒を吸入して圧縮した後、吐出管４２６に吐出するための機器である。本実施形態において、圧縮機４１１は、スクロール式やロータリ式等の容積式の圧縮機である。
【０１６７】
四路切換弁４１３は、各運転に対応して、冷媒の流れ方向を切り換えるための弁であり、冷房運転時、氷蓄熱運転時、氷蓄熱利用冷房運転時、デフロスト運転時、および暖房兼デフロスト運転時には圧縮機４１１の吐出管４２６と室外熱交換器４１２のガス側とを接続するとともに圧縮機４１１の吸入管４２５と第２ガス側閉鎖弁４３２とを接続し、暖房運転時および暖房兼温蓄熱運転時には圧縮機４１１の吐出管４２６と第２ガス側閉鎖弁４３２とを接続するとともに圧縮機４１１の吸入管４２５と室外熱交換器４１２のガス側とを接続することが可能である。
【０１６８】
室外熱交換器４１２は、冷房運転時、氷蓄熱運転時、および氷蓄熱利用冷房運転時において、圧縮機４１１から吐出された高圧のガス冷媒を空調室外の空気を熱源として凝縮させることが可能であり、暖房運転時には室内熱交換器４７１から戻る液冷媒を、暖房兼温蓄熱運転時には室内熱交換器４７１および蓄熱用熱交換器４４１から戻る液冷媒を蒸発させることが可能である。
【０１６９】
［空気調和装置の動作］
空気調和装置４の運転動作について、図１０および図１１を用いて説明する。この空気調和装置４は、上述したように冷房運転、氷蓄熱運転、氷蓄熱利用冷房運転、暖房運転、暖房兼温蓄熱運転、デフロスト運転、および暖房兼デフロスト運転を行うことが可能である。
【０１７０】
（１）冷房運転
冷房運転時は、四路切換弁４１３が図１０の実線で示される状態、すなわち、圧縮機４１１の吐出管４２６が室外熱交換器４１２のガス側に接続され、かつ、圧縮機４１１の吸入管４２５が第２ガス側閉鎖弁４３２側に接続された状態となる。また、第１電動膨張弁ＥＶ１は過熱度制御（以下、ＳＨ制御という）され、第２電動膨張弁ＥＶ２は全開状態とされる。なお、第１電動膨張弁ＥＶ１がＳＨ制御されると、第１電動膨張弁ＥＶ１の弁開度が、室内熱交換器４７１のガス側における冷媒の温度から室内熱交換器４７１の液側における冷媒の温度を引いた差分が一定の正の値（例えば、＋５℃）となるように調節される。また、第１電磁弁ＳＶ１および第５電磁弁ＳＶ５はＯＮされて開状態とされ、第２電磁弁ＳＶ２、第３電磁弁ＳＶ３および第４電磁弁ＳＶ４はＯＦＦされて閉状態とされる（図１１参照）。そして、液側閉鎖弁４３３、第１ガス側閉鎖弁４３１、および第２ガス側閉鎖弁４３２は開状態とされる。
【０１７１】
この冷媒回路４０の状態で、圧縮機４１１を起動すると、ガス冷媒が、圧縮機４１１に吸入されて圧縮された後、吐出管４２６、四路切換弁４１３、および第１ＢＬ接続点ＢＣ１を経由して室外熱交換器４１２に送られ、室外熱交換器４１２において凝縮されて液冷媒となる。
そして、この液冷媒は、第１電動膨張弁ＥＶ１に送られる。第１電動膨張弁ＥＶ１に送られた液冷媒は、減圧された後に液側閉鎖弁４３３、第１ＩＬ接続点ＩＣ１、第５電磁弁ＳＶ５、および第１ＨＬ接続点ＨＣ１を経由して室内熱交換器４７１に供給され、室内空気を冷却するとともに蒸発されてガス冷媒となる。そのガス冷媒は、第２ＢＬ接続点ＢＣ２、第１電磁弁ＳＶ１、第２ＨＬ接続点ＨＣ２、第２ガス側閉鎖弁４３２、および四路切換弁４１３を経由して、再び、圧縮機４１１に吸入される。このようにして、冷房運転が行われる。
【０１７２】
（２）氷蓄熱運転
氷蓄熱運転時は、四路切換弁４１３が図１０の実線で示される状態、すなわち、圧縮機４１１の吐出管４２６が室外熱交換器４１２のガス側に接続され、かつ、圧縮機４１１の吸入管４２５が第２ガス側閉鎖弁４３２側に接続された状態となる。また、第１電動膨張弁ＥＶ１は全開状態とされ、第２電動膨張弁ＥＶ２はＳＨ制御される。なお、第２電動膨張弁ＥＶ２がＳＨ制御されると、第２電動膨張弁ＥＶ２の弁開度が、蓄熱用熱交換器４４１の第２ＩＬ接続点ＩＣ側における冷媒の温度から蓄熱用熱交換器４４１のモジュレータ４４３側における冷媒の温度を引いた差分が一定の正の値（例えば、＋５℃）となるように調節される。また、第１電磁弁ＳＶ１および第４電磁弁ＳＶ４は、ＯＦＦされて閉状態とされ、第２電磁弁ＳＶ２、第３電磁弁ＳＶ３、および第５電磁弁ＳＶ５はＯＮされて開状態とされる（図１１参照）。そして、液側閉鎖弁４３３、第１ガス側閉鎖弁４３１、および第２ガス側閉鎖弁４３２は開状態とされる。
【０１７３】
この冷媒回路４０の状態で、圧縮機４１１を起動すると、ガス冷媒が、圧縮機４１１に吸入されて圧縮された後、吐出管４２６、四路切換弁４１３、および第１ＢＬ接続点ＢＣ１を経由して室外熱交換器４１２に送られ、室外熱交換器４１２において凝縮されて液冷媒となる。
そして、この液冷媒は、第１電動膨張弁ＥＶ１、液側閉鎖弁４３３、第１ＩＬ接続点ＩＣ１、第５電磁弁ＳＶ５、第１ＨＬ接続点ＨＣ１を経由して第２電動膨張弁ＥＶ２に送られる。第２電動膨張弁ＥＶ２に送られた液冷媒は、減圧された後にモジュレータ４４３を経由して蓄熱用熱交換器４４１に供給され、蓄熱用水を冷却するとともに蒸発されてガス冷媒となる。この際、蓄熱用水は、液相から固相に相転移し、液冷媒から供給される冷熱を主に潜熱として蓄積する。
【０１７４】
そして、そのガス冷媒は、第２ＩＬ接続点ＩＣ２、第３電磁弁ＳＶ３、第２ＨＬ接続点ＨＣ２、第２ガス側閉鎖弁４３２、および四路切換弁４１３を経由して、再び、圧縮機４１１に吸入される。このようにして、氷蓄熱運転が行われる。
（３）氷蓄熱利用冷房運転
氷蓄熱利用冷房運転時は、四路切換弁４１３が図１０の実線で示される状態、すなわち、圧縮機４１１の吐出管４２６が室外熱交換器４１２のガス側に接続され、かつ、圧縮機４１１の吸入管４２５が第２ガス側閉鎖弁４３２側に接続された状態となる。また、第１電動膨張弁ＥＶ１は全開状態とされ、第２電動膨張弁ＥＶ２はＳＨ制御される。なお、第２電動膨張弁ＥＶ２がＳＨ制御されると、第２電動膨張弁ＥＶ２の弁開度が、室内熱交換器４７１のガス側における冷媒の温度から室内熱交換器４７１の液側における冷媒の温度を引いた差分が一定の正の値（例えば、＋５℃）となるように調節される。また、第１電磁弁ＳＶ１および第４電磁弁ＳＶ４はＯＮされて開状態とされ、第２電磁弁ＳＶ２、第３電磁弁ＳＶ３、および第５電磁弁ＳＶ５はＯＦＦされて閉状態とされる（図１１参照）。そして、液側閉鎖弁４３３、第１ガス側閉鎖弁４３１、および第２ガス側閉鎖弁４３２は開状態とされる。
【０１７５】
この冷媒回路４０の状態で、圧縮機４１１を起動すると、ガス冷媒が、圧縮機４１１に吸入されて圧縮された後、吐出管４２６、四路切換弁４１３、および第１ＢＬ接続点ＢＣ１を経由して室外熱交換器４１２に送られ、室外熱交換器４１２において凝縮されて液状または気液二相の冷媒となる。
そして、この液状または気液二相の冷媒は、第１電動膨張弁ＥＶ１、液側閉鎖弁４３３、第１ＩＬ接続点ＩＣ１、第４開閉機構ＯＣ４、および第２ＩＬ接続点ＩＣ２を経由して蓄熱用熱交換器４４１に送られ、蓄熱用熱交換器４４１において蓄熱用水に蓄積された冷熱によりさらに低温の液冷媒または液冷媒となる。
【０１７６】
そして、この液冷媒は、モジュレータ４４３を経由して第２電動膨張弁ＥＶ２に送られる。第２電動膨張弁ＥＶ２に送られた液冷媒は、減圧された後に第１ＨＬ接続点ＨＣ１を経由して室内熱交換器４７１に供給され、室内空気を冷却するとともに蒸発されてガス冷媒となる。
そして、そのガス冷媒は、第２ＢＬ接続点ＢＣ２、第１電磁弁ＳＶ１、第２ＨＬ接続点ＨＣ２、第２ガス側閉鎖弁４３２、および四路切換弁４１３を経由して、再び、圧縮機４１１に吸入される。このようにして、氷蓄熱利用冷房運転が行われる。
【０１７７】
（４）暖房運転
暖房運転時は、四路切換弁４１３が図１０の破線で示される状態、すなわち、圧縮機４１１の吐出側が第２ガス側閉鎖弁４３２に接続され、かつ、圧縮機４１１の吸入側が室外熱交換器４１２のガス側に接続された状態となっている。また、第１電動膨張弁ＥＶ１はＳＨ制御され、第２電動膨張弁ＥＶ２は全閉状態とされる。なお、第１電動膨張弁ＥＶ１がＳＨ制御されると、第１電動膨張弁ＥＶ１の弁開度が、室外熱交換器４１２のガス側における冷媒の温度から室外熱交換器４１２の液側における冷媒の温度を引いた差分が一定の正の値（例えば、＋５℃）となるように調節される。また、第１電磁弁ＳＶ１、第２電磁弁ＳＶ２、第３電磁弁ＳＶ３、第４電磁弁ＳＶ４、および第５電磁弁ＳＶ５は、ＯＦＦされて閉状態とされる（図１１参照）。そして、液側閉鎖弁４３３、第１ガス側閉鎖弁４３１、および第２ガス側閉鎖弁４３２は開状態とされる。
【０１７８】
この冷媒回路４０の状態で、圧縮機４１１を起動すると、ガス冷媒が、圧縮機４１１に吸入されて圧縮された後、吐出管４２６、四路切換弁４１３、第２ガス側閉鎖弁４３２、第２ＨＬ接続点ＨＣ２、第１逆止弁４６１、および第２ＢＬ接続点ＢＣ２を経由して、室内熱交換器４７１に供給され、室内熱交換器４７１において室内空気を加熱するとともに凝縮されて液冷媒となる。この液冷媒は、第１ＨＬ接続点ＨＣ１、第５逆止弁４６５、第１ＩＬ接続点ＩＣ１、および液側閉鎖弁４３３を経由して第１電動膨張弁ＥＶ１に送られる。第１電動膨張弁ＥＶ１に送られた液冷媒は、減圧された後に室外熱交換器４１２に送られ、室外熱交換器４１２において蒸発されてガス冷媒となる。そのガス冷媒は、第１ＢＬ接続点ＢＣ１および四路切換弁４１３を経由して、吸入管４２５に戻り、再び、圧縮機４１１に吸入される。このようにして、暖房運転が行われる。
【０１７９】
（５）暖房兼温蓄熱運転
暖房兼温蓄熱運転時は、四路切換弁４１３が図１０の破線で示される状態、すなわち、圧縮機４１１の吐出側が第２ガス側閉鎖弁４３２に接続され、かつ、圧縮機４１１の吸入側が室外熱交換器４１２のガス側に接続された状態となっている。また、第１電動膨張弁ＥＶ１はＳＨ制御され、第２電動膨張弁ＥＶ２は所定の開度を維持する状態とされる。なお、第１電動膨張弁ＥＶ１がＳＨ制御されると、第１電動膨張弁ＥＶ１の弁開度が、室外熱交換器４１２のガス側における冷媒の温度から室外熱交換器４１２の液側における冷媒の温度を引いた差分が一定の正の値（例えば、＋５℃）となるように調節される。また、第１電磁弁ＳＶ１、第２電磁弁ＳＶ２、第３電磁弁ＳＶ３、第４電磁弁ＳＶ４、および第５電磁弁ＳＶ５は、ＯＦＦされて閉状態とされる（図１１参照）。そして、液側閉鎖弁４３３、第１ガス側閉鎖弁４３１、および第２ガス側閉鎖弁４３２は開状態とされる。
【０１８０】
この冷媒回路４０の状態で、圧縮機４１１を起動すると、ガス冷媒が、圧縮機４１１に吸入されて圧縮された後、吐出管４２６、四路切換弁４１３、および第２ガス側閉鎖弁４３２を経由して第２ＨＬ接続点ＨＣ２に至る。そして、第２ＨＬ接続点ＨＣ２に至ったガス冷媒は、その後、第１逆止弁４６１および第２ＢＬ接続点ＢＣ２を経由して室内熱交換器４７１に向かう経路である第１経路と、ＧＣ接続点ＧＣ、第３逆止弁４６３、および第２ＩＬ接続点ＩＣ２を経由して蓄熱用熱交換器４４１に向かう経路である第２経路とに分配される。
【０１８１】
第１経路に分配されたガス冷媒は、室内熱交換器４７１において室内空気を加熱するとともに凝縮されて液冷媒となり、第１ＨＬ接続点ＨＣ１に至る。
一方、第２経路に分配されたガス冷媒は、蓄熱用熱交換器４４１において蓄熱用水を加熱するとともに凝縮されて液冷媒となる。この際、蓄熱用水は、ガス冷媒から供給される温熱を顕熱として蓄積する。その後、その液冷媒は、モジュレータ４４３を経由して第２電動膨張弁ＥＶ２に送られる。第２電動膨張弁ＥＶ２に送られた液冷媒は、減圧された後に第１ＨＬ接続点ＨＣ１に送られる。
【０１８２】
そして、室内熱交換器４７１から第１ＨＬ接続点ＨＣ１に至った液冷媒と、第２電動膨張弁ＥＶ２を経由して第１ＨＬ接続点ＨＣ１に至った液冷媒とは、第１ＨＬ接続点において合流した後、第５逆止弁４６５、第１ＩＬ接続点ＩＣ１、および液側閉鎖弁４３３を経由して第１電動膨張弁ＥＶ１に送られる。第１電動膨張弁ＥＶ１に送られた液冷媒は、減圧された後に室外熱交換器４１２に送られ、室外熱交換器４１２において蒸発されてガス冷媒となる。このガス冷媒は、第１ＢＬ接続点ＢＣ１、四路切換弁４１３を経由して、吸入管４２５に戻り、再び、圧縮機４１１に吸入される。
【０１８３】
なお、この暖房兼温蓄熱運転は、主に、空気調和装置４の起動時に行われ、蓄熱水槽４４２に設けられている蓄熱用水の温度検出用の温度センサの値が所定の閾値以上になると自動的に暖房運転に切り換わるようになっている。
（６）デフロスト運転
デフロスト運転時は、四路切換弁４１３が図１０の実線で示される状態、すなわち、圧縮機４１１の吐出管４２６が室外熱交換器４１２のガス側に接続され、かつ、圧縮機４１１の吸入管４２５が第２ガス側閉鎖弁４３２側に接続された状態となる。また、第１電動膨張弁ＥＶ１および第２電動膨張弁ＥＶ２は所定の開度を維持する状態とされる。また、第１電磁弁ＳＶ１および第５電磁弁ＳＶ５はＯＮされて開状態とされ、第２電磁弁ＳＶ２、第３電磁弁ＳＶ３、および第４電磁弁ＳＶ４はＯＦＦされて閉状態とされる（図１１参照）。そして、液側閉鎖弁４３３、第１ガス側閉鎖弁４３１、および第２ガス側閉鎖弁４３２は開状態とされる。
【０１８４】
この冷媒回路４０の状態で、圧縮機４１１を起動すると、ガス冷媒が、圧縮機４１１に吸入されて圧縮された後、吐出管４２６、四路切換弁４１３、および第１ＢＬ接続点ＢＣ１を経由して室外熱交換器４１２に送られ、室外熱交換器４１２の外表面に付着している霜を融解するとともに凝縮されて液冷媒となる。
そして、室外熱交換器４１２で凝縮された液冷媒は、第１電動膨張弁ＥＶ１に送られる。第１電動膨張弁ＥＶ１に送られた液冷媒は、減圧された後に液側閉鎖弁４３３、第１ＩＬ接続点ＩＣ１、第５電磁弁ＳＶ５、および第１ＨＬ接続点ＨＣ１を経由して室内熱交換器４７１に供給され、室内熱交換器４７１の周囲の空気を冷却するとともに蒸発されてガス冷媒となる。なお、この際、空調室内を積極的に冷房しないように、室内ファンは駆動しないように制御される。
【０１８５】
そして、そのガス冷媒は、第２ＢＬ接続点ＢＣ２、第１電磁弁ＳＶ１、第２ＨＬ接続点ＨＣ２、第２ガス側閉鎖弁４３２、および四路切換弁４１３を経由して、再び、圧縮機４１１に吸入される。
なお、このデフロスト運転は、室外熱交換器４１２の外表面の温度や外気温などのパラメータに基づいて切り換わるようなっている。また、このデフロスト運転は、室内熱交換器４７１に霜が付着しないように、暖房運転などとの間で間欠的に行われる。
【０１８６】
（７）暖房兼デフロスト運転
暖房兼デフロスト運転時は、四路切換弁４１３が図１０の実線で示される状態、すなわち、圧縮機４１１の吐出管４２６が室外熱交換器４１２のガス側に接続され、かつ、圧縮機４１１の吸入管４２５が第２ガス側閉鎖弁４３２側に接続された状態となる。また、第１電動膨張弁ＥＶ１は所定の開度を維持する状態とされ、第２電動膨張弁ＥＶ２はＳＨ制御される。なお、第２電動膨張弁ＥＶ２がＳＨ制御されると、第２電動膨張弁ＥＶ２の弁開度が、蓄熱用熱交換器４４１の第２ＩＬ接続点ＩＣ２側における冷媒の温度から蓄熱用熱交換器４４１のモジュレータ４４３側における冷媒の温度を引いた差分が一定の正の値（例えば、＋５℃）となるように調節される。また、第１電磁弁ＳＶ１および第４電磁弁ＳＶ４はＯＦＦされて閉状態とされ、第２電磁弁ＳＶ２、第３電磁弁ＳＶ３、および第５電磁弁ＳＶ５はＯＮされて開状態とされる（図１１参照）。そして、液側閉鎖弁４３３、第１ガス側閉鎖弁４３１、および第２ガス側閉鎖弁４３２は開状態とされる。
【０１８７】
この冷媒回路４０の状態で、圧縮機４１１を起動すると、ガス冷媒が、圧縮機４１１に吸入されて圧縮された後、吐出管４２６および四路切換弁４１３を経由して第１ＢＬ接続点ＢＣ１に至る。そして、第１ＢＬ接続点ＢＣ１に至ったガス冷媒は、その後、第１ガス側閉鎖弁４３１、第２切換機構ＯＣ２、および第２ＢＬ接続点ＢＣ２を経由して室内熱交換器４７１に向かう経路である第３経路と、室外熱交換器４１２に向かう経路である第４経路とに分配される。
【０１８８】
第３経路に分配されたガス冷媒は、室内熱交換器４７１において室内空気を加熱するとともに凝縮されて液冷媒となり、第１ＨＬ接続点ＨＣ１に至る。
一方、第４経路に分配されたガス冷媒は、室外熱交換器４１２の外表面に付着している霜を融解するとともに凝縮されて液冷媒となり、第１電動膨張弁ＥＶ１に送られる。第１電動膨張弁ＥＶ１に送られた液冷媒は、減圧された後に液側閉鎖弁４３３、第１ＩＬ接続点ＩＣ１、および第５電磁弁ＳＶ５を経由して第１ＨＬ接続点ＨＣ１に至る。
【０１８９】
そして、室内熱交換器４７１から第１ＨＬ接続点ＨＣ１に至った液冷媒と、液側閉鎖弁４３３、第１ＩＬ接続点ＩＣ１、および第５電磁弁ＳＶ５を経由して第１ＨＬ接続点ＨＣ１に至った液冷媒とは、第１ＨＬ接続点ＨＣ１において合流した後、第２電動膨張弁ＥＶ２に送られる。第２電動膨張弁ＥＶ２に送られた液冷媒は、減圧された後にモジュレータ４４３を経由して蓄熱用熱交換器４４１に送られ、蓄熱用熱交換器４４１において温熱を蓄積している蓄熱用水によって蒸発されてガス冷媒となる。その後、そのガス冷媒は、第１ＩＬ接続点ＩＣ１、第３電磁弁ＳＶ３、ＧＬ接続点ＧＣ、第２ＨＬ接続点ＨＣ２、第２ガス側閉鎖弁４３２、および四路切換弁４１３を経由して、吸入管４２５に戻り、再び、圧縮機４１１に吸入される。
【０１９０】
なお、この暖房兼デフロスト運転は、室外熱交換器４１２の外表面の温度や外気温などのパラメータに基づいて切り換わるようなっている。また、このデフロスト運転は、所定時間（例えば、１０分間）継続して行われる。
［空気調和装置の特徴］
（１）
第４実施形態に係る空気調和装置４では、冷媒回路４０にバイパスライン４ｂが設けられており、圧縮機４１１から吐出された高温の冷媒が、室外熱交換器４１２と室内熱交換器４７１との両方に供給され、室外熱交換器４１２と室内熱交換器４７１との両方が凝縮器として機能する状態をつくり出すことができる。このため、この空気調和装置４では、室外熱交換器４１２の外表面に付着している霜を除去すると同時に暖房運転を行う暖房兼デフロスト運転を実現することができる。
【０１９１】
（２）
第４実施形態に係る空気調和装置４では、冷媒回路４０に、暖房兼デフロスト運転において室外熱交換器４１２に液状冷媒が溜まるように冷媒が充填される。このため、この空気調和装置４では、暖房兼デフロスト運転において、室内熱交換器４７１へ流れる吐出冷媒の凝縮温度および凝縮圧力の低下を抑えることができ、暖房兼デフロスト運転における室内熱交換器４７１の暖房能力の低下を抑えることができる。
【０１９２】
（３）
第４実施形態に係る空気調和装置４では、暖房兼デフロスト状態において、室内熱交換器４７１から流出した冷媒と室外熱交換器４１２から流出した冷媒とが合流して蓄熱用熱交換器４４１を通って圧縮機４１１に吸入される。このため、この空気調和装置４では、暖房兼デフロスト状態において、室内熱交換器４７１から流出した冷媒と室外熱交換器４１２から流出した冷媒とを蓄熱用熱交換器４４１で一括して蒸発させることができる。したがって、この空気調和装置４では、冷媒回路４０の構成をシンプルにすることができる。
【０１９３】
（４）
第４実施形態に係る空気調和装置４では、暖房兼温蓄熱状態において、圧縮機４１１から吐出されたガス冷媒が室内熱交換器４７１と蓄熱用熱交換器４４１とに分配される。このため、この空気調和装置４では、暖房運転を行うと同時に蓄熱材に温熱を蓄積させることができる。したがって、この空気調和装置４では、室内の暖房を継続的に行うことができる。
【０１９４】
（５）
第４実施形態に係る空気調和装置４では、暖房兼温蓄熱状態において、室内熱交換器４７１から流出した冷媒と蓄熱用熱交換器４４１から流出した冷媒とが合流して室外熱交換器４１２を通って圧縮機４１１に吸入される。このため、この空気調和装置４では、暖房兼温蓄熱状態において、室内熱交換器４７１から流出した冷媒と蓄熱用熱交換器４４１から流出した冷媒とを室外熱交換器４１２で一括して蒸発させることができる。したがって、この空気調和装置４では、冷媒回路４０の構成をシンプルにすることができる。
【０１９５】
（６）
第４実施形態に係る空気調和装置４では、冷媒回路４０が、四路切換弁４１３および第１電磁弁ＳＶ１を有する。このため、この空気調和装置４では、暖房兼温蓄熱運転と暖房兼デフロスト運転との間で冷媒の流れを適切に制御することができる。
（７）
第４実施形態に係る空気調和装置４では、冷媒回路４０が、第１開閉機構ＯＣ１および第２開閉機構ＯＣ２により冷房運転にも切換可能であり、第２電磁弁ＳＶ２を有する。このため、この空気調和装置４では、暖房兼デフロスト運転と冷房運転との間で冷媒の流れを適切に制御することができる。
【０１９６】
（８）
第４実施形態に係る空気調和装置４では、モジュレータ４４３が、暖房兼デフロスト運転以外の運転時に発生する余剰冷媒を貯留する。このため、空気調和装置４では、暖房兼デフロスト運転において十分な暖房能力を確保するとともに他の運転において正常な稼働を保証することができる。
【０１９７】
（９）
第４実施形態に係る空気調和装置４では、暖房兼デフロスト運転以外の運転時に発生する余剰冷媒を貯留するためにモジュレータ４４３が採用されている。このため、空気調和装置４では、余剰冷媒を主冷媒回路４ａから完全に排除することができる。したがって、この空気調和装置４は、主冷媒回路４ａに冷媒が主に流れる冷房運転や暖房運転において適切な稼働を行うことができる。
【０１９８】
（１０）
第４実施形態に係る空気調和装置４では、蓄熱ユニットとして氷蓄熱ユニット４４が採用されているため、氷蓄熱運転および氷蓄熱利用冷房運転を行うことができる。このため、この空気調和装置４では、夏季など、冷房運転が必要となる環境において、電力ピークを調節することができる。
【０１９９】
［変形例］
（Ａ）
第４実施形態に係る空気調和装置４の主冷媒回路４ａに配置される第１開閉機構ＯＣ１は、第１実施形態の変形例（Ａ）に示されるように、双方向電磁弁に置換されてもかまわない。また、第３開閉機構ＯＣ３および第５開閉機構ＯＣ５についても、同様に双方向電磁弁に置換されてもかまわない。
【０２００】
（Ｂ）
第４実施形態に係る空気調和装置４の主冷媒回路４ａに配置される第１開閉機構ＯＣ１および第２開閉機構ＯＣ２は、第１実施形態の変形例（Ｂ）に示されるように、四路切換弁およびキャピラリーチューブに置換されてもかまわない。
（Ｃ）
第４実施形態に係る空気調和装置４に代えて、図１２に示されるような空気調和装置４Ａを採用しても本発明の作用効果と同様の作用効果を得ることができる。
【０２０１】
第４実施形態に係る空気調和装置４では、冷媒回路４０を構成する主冷媒回路４ａにおいて第１ＨＬ接続点ＨＣ１と第１ＩＬ接続点ＩＣ１との間に第５開閉機構ＯＣ５が配置され、冷媒回路４０を構成する利用ライン４Ａｄにおいて第４開閉機構ＯＣ４が配置された。これに対し、本変形例に係る空気調和装置４Ａでは、主冷媒回路４Ａａと利用ライン４ｄとの接続点に四路切換弁４４４およびキャピラリーチューブ４４５が配置される。なお、この四路切換弁４４４およびキャピラリーチューブ４４５は、氷蓄熱ユニット４４Ａに属することとなる。また、この冷媒回路４０Ａにおいて、四路切換弁４４４は、冷房運転時、氷蓄熱運転時、暖房運転時、暖房兼温蓄熱運転時、デフロスト運転時、および暖房兼デフロスト運転時には図１２の実線で示される状態にされ、氷蓄熱利用冷房運転時には図１２の破線で示される状態にされる。
【産業上の利用可能性】
【０２０２】
本発明に係る空気調和装置は、蓄熱利用デフロスト状態において、熱源側熱交換器の外表面に付着している霜を除去すると同時に暖房運転を行うことができるという特徴のみらならず、蓄熱利用デフロスト状態において十分な暖房能力を確保するとともに暖房兼蓄熱状態において正常な稼働を保証することができるという特徴を有し、冬季などにおいて気温が氷点下となるような寒冷地向けの空気調和装置として有用である。
【図面の簡単な説明】
【０２０３】
【図１】本発明の第１実施形態に係る空気調和装置の概略冷媒回路。
【図２】本発明の第１実施形態に係る空気調和装置の各運転時における電動膨張弁および電磁弁の状態を示す表。
【図３】第１実施形態の変形例（Ａ）に係る空気調和装置の概略冷媒回路。
【図４】第１実施形態の変形例（Ｂ）に係る空気調和装置の概略冷媒回路。
【図５】本発明の第２実施形態に係る空気調和装置の概略冷媒回路。
【図６】本発明の第２実施形態に係る空気調和装置の各運転時における電動膨張弁および電磁弁の状態を示す表。
【図７】第２実施形態の変形例（Ｃ）に係る空気調和装置の概略冷媒回路。
【図８】本発明の第３実施形態に係る空気調和装置の概略冷媒回路。
【図９】本発明の第３実施形態に係る空気調和装置の各運転時における電動膨張弁および電磁弁の状態を示す表。
【図１０】本発明の第４実施形態に係る空気調和装置の概略冷媒回路。
【図１１】本発明の第４実施形態に係る空気調和装置の各運転時における電動膨張弁および電磁弁の状態を示す表。
【図１２】第４実施形態の変形例（Ａ）に係る空気調和装置の概略冷媒回路。
【符号の説明】
【０２０４】
１，１Ａ，１Ｂ，２，２Ａ，３Ａ，４，４Ａ      空気調和装置
１ｂ，１Ｂｂ，２ｂ，３ｂ，３０ｂ，４ｂ      バイパスライン（第１分岐配管）
１０，１０Ａ，１０Ｂ，２０，２０Ａ，３０Ａ，４０，４０Ａ      冷媒回路
１１１，２１１，３１１，４１１      圧縮機
１１２，２１２，３１２，４１２      室外熱交換器（熱源側熱交換器）
１１３，２１３，３１３，４１３      四路切換弁（第１制御弁）
１１４，２１４      気液分離器（冷媒貯留器）
１４１，２４１，３４１，４４１      蓄熱用熱交換器
１４３      四路切換弁（第２制御弁、第３制御弁）
１７１，２７１，３７１，４７１      室内熱交換器（利用側熱交換器）
３４３，４４３      モジュレータ（冷媒貯留器）
ＥＶ２      第２電動膨張弁（減圧機構）
ＳＶ１，ＳＶ１Ａ      第１電磁弁（第２制御弁）
ＳＶ２      第２電磁弁（第３制御弁）
【図１】
2005337661.tif 000003
【図２】
2005337661.tif 000004
【図３】
2005337661.tif 000005
【図４】
2005337661.tif 000006
【図５】
2005337661.tif 000007
【図６】
2005337661.tif 000008
【図７】
2005337661.tif 000009
【図８】
2005337661.tif 000010
【図９】
2005337661.tif 000011
【図１０】
2005337661.tif 000012
【図１１】
2005337661.tif 000013
【図１２】
2005337661.tif 000014